(57)【特許請求の範囲】
【請求項１】
拡張されたカバレッジの汎欧州ディジタル移動体通信システム(GSM)/GSM進化型高速データレート(EDGE)無線アクセスネットワークにおけるオーバーレイ符号分割多元接続(CDMA)のために構成される基地局の装置であって、
1つ又は複数のプロセッサであって、
前記基地局においてオーバーレイCDMAを実装する際に、前記基地局において、複数の移動局の各々に異なる直交符号を割り当て、
同じセットの物理リソースによって多重化される送信の盲目的反復のために前記複数の移動局によって使用される前記同じセットの物理リソースを前記基地局において割り当てることであって、各移動局が、それぞれの盲目的反復を実行するように、それぞれの前記異なる直交符号を使用し、前記盲目的反復の数がチャネル品質に基づき、前記同じセットの物理リソースを前記基地局において割り当て、
前記複数の移動局の各々に対してアップリンクＭＣＳレベルを前記基地局において割り当てることであって、前記複数の移動局の各々に対して割り当てられた前記アップリンクＭＣＳレベルが盲目的反復の前記数とそれぞれの移動局により経験されたチャネル条件とに基づき、前記アップリンクＭＣＳレベルを前記基地局において割り当て、
前記基地局において、前記複数の移動局への送信のために前記異なる直交符号を符号化し、
各々の移動局に割り当てられた前記異なる直交符号に基づいて、前記同じセットの物理リソースによって前記複数の移動局から受信される前記多重化された盲目的反復を前記基地局において復号化する、ように構成される、1つ又は複数のプロセッサを含む、
装置。
【請求項２】
前記複数の移動局に前記異なる直交符号を送信するように構成されるトランシーバーをさらに含む、請求項１に記載の装置。
【請求項３】
前記複数の移動局からの前記多重化された盲目的反復を受信するように構成されるトランシーバーをさらに含む、請求項１に記載の装置。
【請求項４】
前記1つ又は複数のプロセッサは、アップリンクバーストごとに前記異なる直交符号を適用するように、前記複数の移動局の移動局を構成するように構成され、各々のアップリンクバーストは、前記基地局が前記移動局に割り当てた前記異なる直交符号に基づく位相シフトを有する、請求項１に記載の装置。
【請求項５】
前記1つ又は複数のプロセッサは、定義された数のアップリンクバーストに前記異なる直交符号を適用するように、前記複数の移動局の移動局を構成するように構成され、前記定義された数のアップリンクバーストは、4つのアップリンクバーストを含む、請求項１に記載の装置。
【請求項６】
前記複数の移動局は、最大で4つまでの移動局を含む、請求項１に記載の装置。
【請求項７】
前記複数の移動局は、複数の異なるカバレッジクラスの移動局を含む、請求項１に記載の装置。
【請求項８】
オーバーレイ符号分割多元接続(CDMA)のために構成される移動局の装置であって、
1つ又は複数のプロセッサであって、
前記移動局において基地局から受信した一意の直交符号を復号化し、前記移動局は、前記移動局においてオーバーレイCDMAを使用する際に、同じセットの物理リソースによって多重化されるそれぞれの送信の盲目的反復をそれぞれ実行する複数の移動局に含まれ、前記盲目的反復の数がチャネル品質に基づき、
前記移動局からのアップリンクＭＣＳレベルを前記移動局において復号化し、前記アップリンクＭＣＳレベルは、前記盲目的反復の数と前記移動局により経験されたチャネル条件とに基づき、
前記移動局において、前記移動局に割り当てられた前記一意の直交符号を前記移動局の前記盲目的反復に適用し、
前記同じセットの物理リソースを使用して前記基地局に配信するために、前記移動局の前記盲目的反復を前記移動局において符号化する、ように構成される、1つ又は複数のプロセッサ、を含む、
装置。
【請求項９】
前記基地局から前記一意の直交符号を受信し、
前記基地局に前記移動局の前記盲目的反復を送信する、
ように構成されるトランシーバーをさらに含む、請求項８に記載の装置。
【請求項１０】
前記1つ又は複数のプロセッサは、前記移動局の前記盲目的反復のアップリンクバーストごとに前記一意の直交符号を適用するように構成され、各々のアップリンクバーストは、前記基地局が前記移動局に割り当てた前記一意の直交符号に基づく位相シフトを有する、請求項８に記載の装置。
【請求項１１】
前記1つ又は複数のプロセッサは、前記移動局の前記盲目的反復に対応する定義された数のアップリンクバーストに前記一意の直交符号を適用するように構成され、前記定義された数のアップリンクバーストは、4つのアップリンクバーストを含む、請求項８に記載の装置。
【請求項１２】
移動局の前記グループは、最大で4つまでの移動局を含む、請求項８に記載の装置。
【請求項１３】
移動局の前記グループは、複数の異なるカバレッジクラスの移動局を含む、請求項８に記載の装置。
【請求項１４】
複数の命令を含むコンピュータプログラムであって、前記複数の命令は、基地局の1つ又は複数のプロセッサによって実行されると、前記基地局に、
前記基地局においてオーバーレイ符号分割多元接続(CDMA)を実装する際に、前記基地局において、複数の移動局の各々に一意の直交符号を割り当てるステップと、
各々の移動局に割り当てられた前記一意の直交符号を使用する多重化された同じセットの物理リソースによって多重化された送信の盲目的反復のために前記複数の移動局によって使用される前記同じセットの物理リソースを前記基地局において割り当てるステップであって、各移動局が、それぞれの盲目的反復を実行するように、それぞれの一意の直交符号を使用し、前記盲目的反復の数がチャネル品質に基づく、割り当てるステップと、
前記複数の移動局の各々に対してアップリンクＭＣＳレベルを前記移動局において割り当てるステップであって、前記複数の移動局の各々に対して割り当てられた前記アップリンクＭＣＳレベルが盲目的反復の前記数とそれぞれの移動局により経験されたチャネル条件とに基づき、前記アップリンクＭＣＳレベルを前記基地局において割り当てるステップと、
前記基地局において、前記複数の移動局への送信のために前記一意の直交符号を符号化するステップと、
各々の移動局に割り当てられた前記一意の直交符号に基づいて、前記同じセットの物理リソースによって前記複数の移動局から受信される前記多重化された盲目的反復を前記基地局において復号化するステップと、を実行させる、
コンピュータプログラム。
【請求項１５】
前記1つ又は複数のプロセッサによって実行されると、前記基地局に、アップリンクバーストごとに前記一意の直交符号を適用するように、前記複数の移動局の移動局を構成するステップを実行させる命令をさらに含み、各々のアップリンクバーストは、前記基地局が前記移動局に割り当てた前記一意の直交符号に基づく位相シフトを有する、請求項１４に記載のコンピュータプログラム。
【請求項１６】
前記1つ又は複数のプロセッサによって実行されると、前記基地局に、定義された数のアップリンクバーストに前記一意の直交符号を適用するように、前記複数の移動局の移動局を構成するステップを実行させる命令をさらに含み、前記定義された数のアップリンクバーストは、4つのアップリンクバーストを含む、請求項１４に記載のコンピュータプログラム。
【請求項１７】
前記複数の移動局は、最大で4つまでの移動局を含む、請求項１４に記載のコンピュータプログラム。
【請求項１８】
前記複数の移動局は、複数の異なるカバレッジクラスの移動局を含む、請求項１４に記載のコンピュータプログラム。
【請求項１９】
複数の命令を含むコンピュータプログラムであって、前記複数の命令は、移動局の1つ又は複数のプロセッサによって実行されると、前記移動局に、
前記移動局において基地局から受信した一意の直交符号を復号化するステップであって、前記移動局は、前記移動局においてオーバーレイ符号分割多元接続(CDMA)を使用する際に、同じセットの物理リソースによって多重化されるそれぞれの送信の盲目的反復をそれぞれ実行する複数の移動局に含まれ、前記盲目的反復の数がチャネル品質に基づく、ステップと、
前記移動局からのアップリンクＭＣＳレベルを前記移動局において復号化するステップであって、前記アップリンクＭＣＳレベルが前記盲目的反復の数と前記移動局により経験されたチャネル条件とに基づく、ステップと、
前記移動局において、前記移動局に割り当てられた前記一意の直交符号を前記移動局の前記盲目的反復に適用するステップと、
移動局の多重化された前記グループのための前記同じセットの物理リソースを使用して前記基地局に配信するために、前記移動局の前記盲目的反復を前記移動局において符号化するステップと、を実行させる、
コンピュータプログラム。
【請求項２０】
前記1つ又は複数のプロセッサによって実行されると、前記移動局に、前記移動局の前記盲目的反復のアップリンクバーストごとに前記一意の直交符号を適用するステップを実行させる命令をさらに含み、各々のアップリンクバーストは、前記基地局が前記移動局に割り当てた前記一意の直交符号に基づく位相シフトを有する、請求項１９に記載のコンピュータプログラム。
【請求項２１】
前記1つ又は複数のプロセッサによって実行されると、前記移動局に、前記移動局の前記盲目的反復に対応する定義された数のアップリンクバーストに前記一意の直交符号を適用するステップを実行させる命令をさらに含み、前記定義された数のアップリンクバーストは、4つのアップリンクバーストを含む、請求項１９に記載のコンピュータプログラム。
【請求項２２】
前記複数の移動局は、最大で4つまでの移動局を含む、請求項１９に記載のコンピュータプログラム。
【請求項２３】
前記複数の移動局は、複数の異なるカバレッジクラスの移動局を含む、請求項１９に記載のコンピュータプログラム。
【請求項２４】
請求項１４乃至１８のうちのいずれか１項に記載のコンピュータプログラムを格納しているコンピュータ読み取り可能な記憶媒体。
【請求項２５】
請求項１９乃至２３のうちのいずれか１項に記載のコンピュータプログラムを格納しているコンピュータ読み取り可能な記憶媒体。
【発明の詳細な説明】
【背景技術】
【０００１】
無線モバイル通信技術は、さまざまな規格及びさまざまなプロトコルを使用して、(例えば、送信局等の)ノードと(例えば、モバイルデバイス等の)無線デバイスとの間でデータを送信する。無線デバイスのうちのいくつかは、ダウンリンク(DL)送信の際には直交周波数分割多元接続(OFDMA)を使用し、アップリンク(UL)送信の際には単一キャリア周波数分割多元接続(SC-FDMA)を使用して通信する。信号送信のために直交周波数分割多重(OFDM)を使用する規格及びプロトコルは、第3世代パートナーシッププロジェクト(3GPP)ロングタームエボリューション(LTE)、WiMax(マイクロ波アクセスについての全世界的相互運用)として業界団体に広く知られている(例えば、米国電気電子通信学会(IEEE)802.16e、IEEE802.16m等の)IEEE802.16規格、及びWiFiとして業界団体に広く知られているIEEE802.11規格を含む。3GPP無線アクセスネットワーク(RAN)LTEシステムにおいては、ノードは、(進化型NodeB、強化型NodeB、eNodeB、又はeNBと共通にあらわされる)複数の進化型ユニバーサル地上波無線アクセスネットワーク(E-UTRAN)NodeB及び無線ネットワークコントローラ(RNC)の組み合わせであってもよく、これらのeNodeB及びRNCは、ユーザ機器(UE)として知られる無線デバイスと通信する。ダウンリンク(DL)送信は、(例えば、eNodeB等の)ノードから(例えば、UE等の)無線デバイスへの通信であってもよく、アップリンク(UL)送信は、無線デバイスからそのノードへの通信であってもよい。
【０００２】
さらに、無線通信システムにおいては、単一の基地局が複数のリモートユニットに信号を送信するというのが一般的である。複数のリモートユニットにシグナリングを提供しつつ、過酷なマルチパス無線通信チャネルに取り組むことを目的として、ユーザチャネライゼイションを実現するとともに効率的なデータ転送を提供する変調及び符号化スキームが開発されている。一般的に、これらのスキームは、ある1つの基地局からの各々の信号が同期させられたタイミングで送信される場合に、最も効率的に動作する。例えば、典型的なオーバーレイ符号分割多元接続(CDMA)システムにおいては、信号は、複数の異なる符号を使用することによって、互いに区別される。基地局からリモートユニットへの送信の場合には、これらの符号は、例えば、ウォルシュ関数等の符号の直交するセットとなる。一方の直交するチャネルに対応する送信が、他方のチャネルに対応する送信と正しく位置合わせされていない場合には、符号の直交性を低下させ、それらの複数の送信は、互いに有意に干渉しあう場合がある。
【図面の簡単な説明】
【０００３】
本開示の特徴及び利点は、例示の目的で本開示の特徴をともに説明する複数の添付の図面と関連して利用される以下の詳細な説明から明らかになるであろう。
【図１】1つの例にしたがって第1のユーザ機器(UE)及び第2のユーザ機器(UE)にサービスを提供している基地局を図示している。
【図２】1つの例にしたがった直交周波数分割多元接続(OFDMA)フレーム構造を図示している。
【図３】1つの例にしたがった基地局とモバイルデバイスとの間の強化型オーバーレイCDMA送信スキームの表を図示している。
【図４】1つの例にしたがったモバイルデバイスのための強化型オーバーレイCDMA送信スキームに関する4つの状態を図示している。
【図５】モバイルデバイスが1つの例したがってブラインド受信を実装するように強いられる強化型オーバーレイCDMA送信スキームを図示している。
【図６】1つの例にしたがった基地局とモバイルデバイスとの間の強化型オーバーレイCDMA送信スキームのための複数のシミュレーションのパラメータの表を図示している。
【図７】複数のモバイルデバイスのパフォーマンスグラフを図示し、それらの複数のモバイルデバイスは、1つの例にしたがって、基地局との間の強化型オーバーレイCDMA送信スキームを実装する。
【図８】基地局の機能を示し、その基地局は、1つの例にしたがってモバイルデバイスによるアップリンク(UL)送信容量を増加させる強化型オーバーレイ符号分割多元接続(CDMA)を実行するように動作可能である。
【図９】移動局の機能を図示し、その移動局は、1つの例にしたがって基地局との間のアップリンク(UL)送信容量を増加させる強化型オーバーレイ符号分割多元接続(CDMA)を実行するように動作可能である。
【図１０】複数の命令が具現化されている一時的な又は非一時的な機械読み取り可能な記憶媒体のフローチャートを図示し、それらの複数の命令は、1つの例にしたがって基地局とモバイルデバイスとの間のアップリンク(UL)送信容量を増加させる強化型オーバーレイ符号分割多元接続(CDMA)を実行する。
【図１１】1つの例にしたがった(例えば、UE等の)無線デバイスの略図を図示している。
【図１２】1つの例にしたがった(例えば、ユーザ機器"UE"等の)無線デバイスの複数の例示的な構成要素の略図を示している。
【図１３】1つの例にしたがった(例えば、基地局及び/又はeNB等の)ノードと(例えば、UE等の)無線デバイスの略図を示している。
【０００４】
ここで、複数の例示的な実施形態が参照され、それらの複数の例示的な実施形態を説明する際に、本明細書において、特定の専門用語が使用される。にもかかわらず、そのことにより、本願の範囲を限定することを意図してはいないということが理解されるであろう。
【発明を実施するための形態】
【０００５】
本技術を開示し、そして、説明する前に、本技術は、本明細書で開示される特定の構造、プロセスの動作、又は材料に限定されるものではないが、それらの特定の構造、プロセスの動作、又は材料と等価なものに拡張され、このことは、関連する技術分野の当業者によって認識されるであろうということを理解すべきである。また、本明細書において採用される用語は、特定の例を説明する目的で使用されるにすぎず、限定することを意図したものではないということを理解すべきである。異なる図面の中の同じ参照番号は、同じ構成要素を表す。複数のフローチャート及びプロセスの中で用いられる番号は、複数の動作及び演算の図示の明確さのために用いられ、必然的に、ある特定の順序又は序列を示すものではない。
【０００６】
例示的な実施形態
【０００７】
技術的な実施形態の最初の概観は、以下で提示され、その際に、複数の特定の技術的な実施形態が、以下でさらに詳細に説明される。上記の最初の要旨は、本明細書の読者が、本発明の技術をより迅速に理解するのを支援するように意図されるが、それらの技術の主たる特徴又は必須の特徴を特定するようには意図されておらず、請求項に記載された主題の範囲を限定するようにも意図されていない。
【０００８】
本明細書において説明されるように、オーバーレイ符号分割多元接続(CDMA)は、アップリンク(UL)の拡張されたカバレッジのデバイスに提供される。CDMAをオーバーレイする上記の技術は、同じ物理チャネルにおいて同じ時間に(例えば、ユーザ機器等の)複数のモバイルデバイスを多重化することを可能にすることができる。複数の直交する符号によって、多重化されたモバイルデバイスの間の直交性を実現する。より具体的には、各々のモバイルデバイスは、そのモバイルデバイスのブロックを反復してもよく、割り当てられた符号シーケンスを適用し、その符号シーケンスは、他のユーザに割り当てられた符号シーケンスとは直交している。それらの符号シーケンスの要素は、単位振幅を有する要素であってもよく、また、バースト状に適用されてもよい、すなわち、それらの符号シーケンスの要素は、各々の送信されたバーストに位相シフトを適用することに対応している。(例えば、モバイルデバイス等の)受信機側において、受信したブロックは、同じ符号シーケンスの複素共役にしたがって位相シフトされていてもよく、追加の受信したサンプルが後に続いていてもよい。このことは、設計された信号の可干渉性の累積及び他の信号の除去につながることが可能である。受信機側で複数の異なる符号シーケンスを適用することによって、複数の異なるユーザからの信号を分離することが可能である。1つの態様において、それらの符号シーケンスは、アダマール行列又はフーリェ行列の行であってもよい。
【０００９】
また、オーバーレイCDMAは、複数の拡張されたカバレッジのデバイスを多重化することが可能である。すなわち、基地局は、複数の直交する符号を利用することによって、無線リソースの同じセットによって同時に、以降のタイムスロットにおいてそれらの1つ又は複数のモバイルデバイスの送信されるバーストを盲目的に反復することを、1つ又は複数のモバイルデバイスに義務付けてもよい。そのようなシナリオにおいては、位相回転の形態でそれらの複数の直交する符号を複数の反復されたバーストに適用してもよい。例えば、4つの盲目的な反復を実行する2つの拡張されたカバレッジのデバイスを多重化しつつあるシナリオを考慮する。それらの2つの拡張されたカバレッジのデバイスのうちの一方の拡張されたカバレッジのデバイスが4つのタイムスロットにおいてそのカバレッジデバイスのバーストを送信する前に、その第1の拡張されたカバレッジのデバイスは、そのモバイルデバイスの4つのバーストの各々に(0°、180°、0°、180°等の)4つの位相シフトを適用してもよい。同様に、第2の拡張されたカバレッジのデバイスは、その第2の拡張されたカバレッジのデバイスの4つのバーストに(0°、0°、0°、0°等の)位相シフトを適用してもよい。受信機側においては、これらの4つのタイムスロットを使用して受信した信号をバッファリングする。上記のバッファリングされた信号を使用して、バーストレベルにあるとともに所望のデバイスの直交する符号に対応する複素共役の位相回転をそれらの4つの受信したバーストに適用し、その後、それらの4つのバーストの各々の対応するサンプルを組み合わせることによって、その所望のデバイスの送信されたバーストを容易に復元することが可能である。この手順は、単一のデバイスによって送信されたバーストを生じさせ、残りの重畳されたバーストの信号を取り消す。同様に、(1)  他方のデバイスのシーケンスに対応している複素共役の位相回転を適用し、(2)  受信したバーストの対応するサンプルを組み合わせることによって、その他方のデバイスの送信したバーストを取得することが可能である。したがって、CDMAのオーバーレイを使用すると、複数の盲目的な反復のために確保されている複数のスロットにおけるチャネルスループットの有意な増加をもたらすことが可能である。
【００１０】
これに対して、3つの主要な課題が存在し、それらの3つの主要な課題は、CDMAのオーバーレイの潜在的な利益を妨げる場合がある。第1に、(例えば、複数のバースト等の)複数の盲目的な反復の数の制限及び好ましくないチャネル条件を経験しているモバイルデバイスに対するCDMAのオーバーレイは、CDMAのオーバーレイの潜在的な利益を著しく制限する場合がある。例えば、変調及び符号化スキーム(MCS)レベルが1であるデバイスに8つの盲目的な反復を実行することを義務付ける場合には、そのデバイスは、代わりに4のMCSレベルを利用する場合があり、このことは、そのデバイスのデータスループットの84％の利得につながる。一方で、上記の特徴は、レガシーシステムでは利用可能ではない。
【００１１】
第2に、複数のモバイルデバイスの送信の間での直交性を維持しようとすると、複数の多重化されるモバイルデバイスが同じ数の盲目的な反復を利用するように、それらの複数の多重化されるデバイスを選択するということを必然的に伴う。しかしながら、ある所定のタイムスロットにおいて盲目的な反復を実行するデバイスの数が制限されていると仮定すると、そのようなデバイスの対を探して見つけだすことは、計算の効率を減少させる。続いて、十分な数のペアが存在しないと、提案されるオーバーレイCDMA技術の潜在的な利益の有意な減少につながる可能性がある。
【００１２】
第3に、複数個の盲目的な反復を実行する複数のモバイルデバイスは、好ましくないチャネル条件を経験する場合があり、したがって、それらの複数のモバイルデバイスは、最大の電力で送信せざるを得ない。その後、例えば、周波数オフセット及びタイミングオフセットに起因して、CDMA符号が完全には直交していない場合には、複数のオーバーレイされたデバイスの間で電力漏れに起因する複数のモバイルデバイスの間での残余の干渉は、複数のモバイルデバイスのスループットの減少又はブロック誤り率(BLER)の増加等のように複数のモバイルデバイスのパフォーマンスを有意に低下させる場合がある。上記の課題を軽減することを目的として、複数のオーバーレイされるデバイスの間の相互の干渉の効果を排除するのに、逐次干渉除去(SIC)受信機スキームを使用することが可能である。一方で、拡張されたカバレッジのデバイスが好ましくないチャネル条件を経験しているために、チャネル推定の品質が信頼性に欠ける場合があるということに起因して、SICは、干渉を十分に軽減できない場合がある。また、好ましくないチャネル条件にある複数のデバイスは、それらのデバイスが最も小さなMCSレベルに対応する信号対干渉雑音比(SINR)閾値に達することができるのに十分な個数の盲目的な反復のみを実行する。その後、基地局における複数のモバイルデバイスのすべての受信電力は、比較することが可能である、すなわち、通常、おおよそ3デシベル(dB)となる。したがって、SICは、支配的な干渉が存在しないことにより、有効でない場合がある。
【００１３】
したがって、上記の様々な課題を解決するために、汎欧州ディジタル移動体通信システム(GSM（登録商標）)/GSM進化型高速データレート(EDGE)無線アクセスネットワーク(GERAN)ベースのセルラーのモノのインターネット(IoT)(CIoT)に1つの技術を提供し、GSM/GERANベースのCIoTは、拡張されたカバレッジのGSM"EC-GSM"システムと称されてもよく、上記の技術は、好ましいチャネル条件にあるCIoTデバイスが冗長な盲目的反復を実行するように義務付ける。IoTデバイスが基地局によって複数の直交する符号を割り当てられていると仮定する場合に、好ましいチャネル条件にあるCIoTデバイスを冗長な盲目的反復を実行するように構成すると、同じ無線リソースを使用して複数のIoTデバイスを多重化することを可能とすることができる。さらに、送信の信頼性を改善するのに、又は、デバイスのスループットを増加させ、ひいては、全体的なシステムのスループットを増加させるのに、これらの複数の冗長な盲目的反復を利用することが可能である。すなわち、あらかじめ規定された閾値を下回るチャネル品質条件を有するCToTデバイスと比較して、そのあらかじめ規定された閾値を上回るチャネル品質条件を有するCIoTデバイスは、同じ無線リソースを使用して多重化される際に、冗長な盲目的反復を実行するように義務付けられてもよい。
【００１４】
1つの態様においては、基地局のための1つの技術を提供し、その基地局は、強化されたオーバーレイ符号分割多元接続(CDMA)を実行して、モバイルデバイスとのアップリンク(UL)送信の容量を増加させるように動作可能である。その基地局は、スケジューリングインターバルにおいて、複数のモバイルデバイスについてのチャネル品質条件を取得してもよい。その基地局は、それらの複数のモバイルデバイスの各々についてのチャネル品質、目標送信スキーム、及び送信電力レベルを識別してもよい。その基地局は、一意の直交するCDMA符号を割り当ててもよい。その基地局は、それらの複数のモバイルデバイスがアップリンクデータのK個の反復されたバーストを送信するように義務付けてもよく、それによって、それらの複数のモバイルデバイスの各々は、それらの複数のモバイルデバイスの各々に割り当てられた一意の直交するCDMA符号に基づく回転させられた位相シフトを有し、それらの複数のモバイルデバイスの各々は、オーバーレイCDMA操作を使用して、同じ物理チャネルにおいて多重化される。その基地局は、K個の反復されたバーストを処理してもよく、それらのK個の反復されたバーストは、オーバーレイCDMA操作を使用して、同じ物理チャネルにおいて多重化される。その基地局は、一意の直交するCDMA符号にしたがってそれらの複数のモバイルデバイスを分離してもよく、同相(I)及び直角位相(Q)(IQ)の累積を使用して、K個の反復されたバーストを組み合わせてもよい。
【００１５】
1つの態様においては、基地局は、スケジューリングインターバルにおいて、複数のモバイルデバイスについてチャネル品質条件を取得してもよい。その基地局は、それらの複数のモバイルデバイスの各々について、チャネル品質、目標送信スキーム、及び送信電力レベルを識別してもよい。その基地局は、一意の直交するCDMA符号をそれらの複数のモバイルデバイスの各々に割り当ててもよい。その基地局は、ULデータのK個の反復されたバーストを送信するようにそれらの複数のモバイルデバイスに指示してもよく、それらのK個の反復されたバーストの各々は、それらの複数のモバイルデバイスの各々に割り当てられた一意の直交するCDMA符号に基づく1つの回転させられた位相シフトを有し、それらの複数のモバイルデバイスの各々は、それらの複数のモバイルデバイスの送信された信号をオーバーレイするための同じ物理チャネルにおいて多重化され、Kは、それらの複数のモバイルデバイスの数に等しいか又はそれらの複数のモバイルデバイスの数と比較してより大きい正の整数であり、それらの複数のモバイルデバイスは、それらの複数のモバイルデバイスに実行されたオーバーレイCDMA操作を有するように構成される。その基地局は、それらの複数のモバイルデバイスから、K個の反復されたバーストを受信してもよく、それらのK個の反復されたバーストは、CDMAをオーバーレイするための同じ物理チャネルにおいて、各々多重化される。その基地局は、一意の直交するCDMA符号にしたがってそれらの複数のモバイルデバイスを分離してもよく、それらのK個の反復されたバーストにしたがって同相/直角位相(IQ)累積を使用してもよい。
【００１６】
追加的な態様において、モバイルデバイスに1つの技術を提供し、そのモバイルデバイスは、強化されたオーバーレイ符号分割多元接続(CDMA)を実行して、eNodeBとのアップリンク(UL)送信の容量を増加させるように動作可能である。そのモバイルデバイスは、eNodeBから受信した一意の直交するCDMA符号を処理してもよく、その一意の直交するCDMA符号は、そのモバイルデバイスに割り当てられている。そのモバイルデバイスは、ULデータのK個の反復されたバーストを繰り返し送信してもよく、それらのK個の反復されたバーストは、各々が、一意の直交するCDMA符号に基づく位相シフトだけ回転させられている。そのモバイルデバイスは、CDMAをオーバーレイするための同じ物理チャネルに、複数の別のモバイルデバイスの他のUL送信とそのモバイルデバイスのK個の反復されたバーストの各々とを多重化し、Kは、オーバーレイCDMAを有する複数のモバイルデバイスの数と等しいか又はより大きい正の整数であり、その一意の直交するCDMA符号にしたがってそれらの複数のモバイルデバイスを分離し、同相(I)及び直角位相(Q)(IQ)累積を使用して、K個の反復されたバーストを組み合わせ、それらの複数のモバイルデバイスの信号は、一意の直交するCDMA符号にしたがってeNodeBにおいて分離され、IQの累積を使用してK個の反復されたバーストを組み合わせる。
【００１７】
他の態様において、複数の命令が具体化されている1つ又は複数の一時的又は非一時的機械読み取り可能な記憶媒体に1つの技術を提供し、その技術は、強化されたオーバーレイ符号分割多元接続(CDMA)を実行して、モバイルデバイスとのアップリンク(UL)送信の容量を増加させ、それらの複数の命令は、1つ又は複数のプロセッサ及びメモリによって実行されると、複数のモバイルデバイスの各々について、チャネル品質、目標送信スキーム、及び送信電力レベルを識別することを実行してもよい。それらの複数の命令は、1つ又は複数のプロセッサ及びメモリによって実行されると、それらの複数のモバイルデバイスの各々に一意の直交するCDMA符号を割り当てることを実行してもよい。それらの複数の命令は、1つ又は複数のプロセッサ及びメモリによって実行されると、ULデータのK個の反復されたバーストを送信することをそれらの複数のモバイルデバイスに義務付けることを実行してもよく、それらのK個の反復されたバーストは、各々が、それらの複数のモバイルデバイスの各々に割り当てられた一意の直交するCDMA符号に基づく回転させられた位相シフトを有し、それらの複数のモバイルデバイスの各々は、それらの複数のモバイルデバイスの送信された信号をオーバーレイするための同じ物理チャネルにおいて多重化され、Kは、それらの複数のモバイルデバイスの数に等しいか又はそれらの複数のモバイルデバイスの数と比較してより大きい正の整数であり、それらの複数のモバイルデバイスは、それらの複数のモバイルデバイスに実行されるオーバーレイCDMA操作を有するように構成される。それらの複数の命令は、1つ又は複数のプロセッサ及びメモリによって実行されると、それらの複数のモバイルデバイスから受信したK個の反復されたバーストを処理することを実行してもよい。それらの複数の命令は、1つ又は複数のプロセッサ及びメモリによって実行されると、一意の直交するCDMA符号にしたがってそれらの複数のモバイルデバイスの信号を分離し、同相(I)及び直角位相(Q)(IQ)の累積を使用して、K個の反復されたバーストを組み合わせることを実行してもよい。
【００１８】
図1は、基地局の例示的な構成を図示しており、その基地局は、ユーザ機器(UE)等の第1のモバイルデバイス及びUE等の第2のモバイルデバイスにサービスを提供している。第1のUEは、UE1と称されてもよく、第2のUEは、UE2と称されてもよい。第1のUEは、基地局の比較的近くに位置していてもよく、一方、第2のUEは、基地局から比較的遠くに位置していてもよい。さらに、第1のUE及び第2のUEは、その基地局へのそれらの距離に起因して、異なる伝搬損失を有していてもよい。例えば、第1のUEは、その基地局に比較的近くに存在することに起因して、小さな伝搬損失を有していてもよく、第2のUEは、その基地局から比較的遠くに存在していることに起因して、大きな伝搬損失を有していてもよい。換言すれば、第2のUEは、第1のUEと比較してより大きな伝搬損失を経験していてもよい。
【００１９】
図2は、1つの例にしたがったレガシー物理ダウンリンク制御チャネル(PDCCH)を含むダウンリンク(DL)送信のための(例えば、リソース格子等の)無線フレームリソースの図を図示している。その例においては、10ミリ秒(ms)の継続時間Tfを有するように、データを送信するのに使用される信号の無線フレーム200を構成してもよい。各々が1[ms]の長さの10個のサブフレーム200iに各々の無線フレームを区分し又は分割してもよい。各々が0.5[ms]の継続時間Tslotを有する2つのスロット220a及び220bに各々のサブフレームをさらに複分割してもよい。第1のスロット(#0)220aは、物理ダウンリンク制御チャネル(PDCCH)及び/又は物理ダウンリンク共有チャネル(PDSCH)を含んでもよく、第2のスロット(#1)220bは、PDSCHを使用して送信されるデータを含んでもよい。1つの態様において、無線フレーム200のアーキテクチャの設計の少なくとも一部は、アップリンク(UL)送信での単一キャリア周波数分割多元接続(SC-FDMA)に適用可能であってもよい。
【００２０】
ノード又は無線デバイスによって使用されるコンポーネントキャリア(CC)のための各々のスロットは、そのCCの周波数帯域幅に基づく複数のリソースブロック(RB)230a、230b、230i、230m、及び230nを含んでいてもよい。そのCCは、帯域幅及び中心周波数を有するキャリア周波数を有していてもよい。そのCCの各々のサブフレームは、ダウンリンク制御情報(DCI)を含んでいてもよい。レガシーPDCCHを使用する場合には、制御領域の中のPDCCHは、各々のサブフレーム又は物理RB(PRB)の中の複数の第1のOFDMシンボルの1つから3つの列を含んでいてもよい。そのサブフレームの中の残りの11から13つのOFDMシンボル(PDCCHを使用しない場合には、14つのOFDMシンボル)を(短いサイクリックプレフィックス又は通常のサイクリックプレフィックスのための)データのためのPDSCHに割り当ててもよい。
【００２１】
制御領域は、物理制御フォーマットインジケータチャネル(PCFICH)、物理ハイブリッド自動再送要求(Hybrid-ARQ)インジケータチャネル(PHICH)、及びPDCCHを含んでもよい。PDCCHに使用される制御領域の中のOFDMシンボルの数は、物理制御フォーマットインジケータチャネル(PCFICH)の中で送信される制御チャネルフォーマットインジケータ(CFI)によって決定されてもよい。PCFICHは、各々のサブフレームの最初のOFDMシンボルの中に位置していてもよい。PCFICH及びPHICHは、PDCCHよりも上の優先順位を有していてもよく、したがって、PCFICH及びPHICHは、PDCCHの前にスケジューリングされる。
【００２２】
1つの実施形態において、各々のRB(物理RB又はPRB)230iは、(周波数軸において)12つの15[kHz]のサブキャリア236及びスロットごとに(時間軸において)6つ又は7つの直交周波数分割多重(OFDM)シンボル232を含んでもよい。短いサイクリックプレフィックス又は通常のサイクリックプレフィックスを採用している場合には、RBは、7つのOFDMシンボルを使用してもよい。拡張されたサイクリックプレフィックスを使用する場合には、RBは、6つのOFDMシンボルを使用してもよい。短いサイクリックプレフィックス又は通常のサイクリックプレフィックスを付することを使用して、リソースブロックを84つのリソースエレメント(RE)240iにマッピングしてもよく、或いは、拡張されたサイクリックプレフィックスを付することを使用して、リソースブロックを(図示されていない)72つのREにマッピングしてもよい。REは、1つのサブキャリア(すなわち、15[kHz])246による1つのOFDMシンボル242の1つの構成単位であってもよい。
【００２３】
直角位相シフトキーイング(QPSK)変調の場合には、各々のREは、情報の2つのビット250a及び250bを送信してもよい。各々のREにおいてより大きな数のビットを送信するのに、16値直交振幅変調(QAM)又は64値QAM等の他のタイプの変調を使用してもよく、或いは、各々のREにおいて(単一のビット等の)より小さな数のビットを送信するのに、二相シフトキーイング(BPSK)変調等の他のタイプの変調を使用してもよい。eNBからUEへのダウンリンク送信のためにRBを構成してもよく、或いは、UEからeNBへのアップリンク送信のためにRBを構成してもよい。
【００２４】
図3は、1つの例にしたがった基地局とモバイルデバイスとの間の強化されたオーバーレイCDMA送信スキームに関する表300を図示している。1つの態様において、本発明にしたがった技術は、同じ物理チャネルにおいて同時に実行される(拡張されたカバレッジのGSM(EC-GSM)システム等の)複数のモバイルデバイスの多重化によってCDMAをオーバーレイすることを提供し、それらの多重化される複数のモバイルデバイスは、冗長な盲目的反復を実行するための好ましいチャネル条件を有している。1つの態様においては、表300に示されているように、いずれかのデバイスは、複数のモバイルデバイスの多重化によってCDMAをオーバーレイするために、そのデバイスのチャネル品質に基づいて8つの送信スキームのうちの1つを利用してもよい。
【００２５】
表300は、送信スキーム1乃至8、MCS1-4等のMCSレベル、及び盲目的な反復の数を示し、盲目的な反復は、(EC-GSMシステム等の)複数のモバイルデバイスによって同じ物理チャネルにおいて同時に実行されてもよく、それらの複数のモバイルデバイスは、冗長な盲目的反復を実行するための好ましいチャネル条件を有する。いずれかのデバイスは、そのデバイスのチャネル品質に基づいて、8つの送信スキームのうちの1つを利用してもよい。直交する符号を適用することによって、複数の多重化されるモバイルデバイスの間の直交性を実現してもよい。
【００２６】
すなわち、オーバーレイCDMA技術に対する提案された強化については、複数のオーバーレイされるデバイスによって利用されるMCSスキームに関してはいかなる制約も存在しない。換言すれば、デバイスのすべてをオーバーレイすることが可能である。一方で、それらの複数のオーバーレイされるデバイスの間の直交性を維持するために、各々のデバイスは、そのデバイスの送信されるバーストを反復してもよく、それらの複数のオーバーレイされるデバイスのすべてが直交するようにデバイスに割り当てられた符号に基づく位相シフトによってこれらの反復の各々を回転させてもよい。反復の数"R"は、オーバーレイされるデバイスの数"U"と等しいか又は"U"と比較してより大きくてもよく、R及びUは、双方が正の整数である。
【００２７】
例えば、4つのデバイスがオーバーレイされる場合に、送信スキーム1乃至4においてはいかなる盲目的な反復も存在しない(いかなる義務付けられた盲目的な反復も存在しない)ということを示しているが、各々のデバイスは、そのデバイスのそれぞれのバーストを、R≧4回、盲目的に送信してもよい。このように、送信スキーム1乃至4はいかなる反復も含んでいないので、これらの送信スキーム1乃至4を実行するデバイスに、送信スキーム1乃至4においてそれらのデバイスによって送信されるバーストを盲目的に反復することを"義務付け"てもよい。義務付けられた盲目的な反復は、それらのデバイスの受信信号強度を改善することが可能であり、ひいては、それらのデバイスが、より高いMCSレベルを使用し或いはそれらのデバイスのブロック誤り率(BLER)を低減することを可能とするので、その義務付けられた盲目的な反復は、それらのデバイスのパフォーマンスの改善を結果的に実現することが可能である。
【００２８】
さらに、送信スキーム5乃至8を実行しているオーバーレイされるデバイスのパフォーマンスも、同様に、改善することが可能である。特に、同じ数の盲目的な反復を使用するデバイスの対を探索するのではなく、一致する数の盲目的な反復を実行することを、好ましい品質及び/又は好ましいチャネル又は好ましいチャネル条件を経験しているいずれかのデバイスに義務付けてもよい。一致する数の盲目的な反復を実行すると、その後、複数のオーバーレイされるデバイスの間の電力の不均衡を増加させ、逐次干渉除去(SIC)のパフォーマンス及び効率を増加させることが可能である。例えば、デバイスによる盲目的な送信(又は、"バースト")を盲目的に反復するために、送信スキーム5を利用するデバイスを、16つのスロットによってスケジューリングしてもよく、送信スキーム8を利用する他のデバイスと、送信スキーム5を利用するデバイスとをオーバーレイしてもよく、送信スキーム5を利用するデバイスは、16つの盲目的な反復を実行してもよい。この場合に、電力の不均衡は、概ね、最大で12[dB]となる場合があり、SICの品質を有意に増加させる。
【００２９】
(例えば、モバイルデバイス等の)受信機側において、基地局によって受信される割り当てられた直交するシーケンスにしたがって、各々のデバイスの複数の盲目的な反復を位相回転させてもよいということに留意すべきである。以降は、シンボルレベルで、位相シフトされた反復を加えてもよい。この手法は、所望のデバイスによって盲目的に反復された複数のバーストのIQ結合及び他のオーバーレイされるデバイスによって引き起こされる干渉の除去を結果として実現することが可能である。1つの態様において、アダマール行列を使用することによって複数の直交するシーケンスを取得することが可能である。
【００３０】
したがって、複数の盲目的な反復を実行することを、好ましいチャネル条件を有するモバイルデバイスに義務付けることによりCDMA送信スキームをオーバーレイする提案された技術は、MCS1及びMCS2を使用して送信するデバイスと比較した場合に、MSC3及びMCS4を使用して送信するデバイスが、干渉に対してより大きな回復力を持つことを可能とし、その理由は、MSC3及びMCS4を使用して送信するデバイスは、良好なチャネル条件を経験しているからである。このようにして、オーバーレイCDMA技術を使用することによって、複数の盲目的な反復を実行することを、好ましいチャネル条件を有するデバイスに義務付け、したがって、そのデバイスからの受信される電力を改善するとともに、オーバーレイCDMAによって引き起こされる干渉、すなわち、他のオーバーレイされるデバイスからの電力漏れに起因するパフォーマンス損失を減少させる。冗長な盲目的反復は、そのデバイスからの受信されるSINRを改善するのを支援し、したがって、デバイスが、盲目的反復を使用しない場合にそのデバイスによって使用されるであろうMCSレベルと比較してより高いMCSレベルを使用することを可能にする。結果として、この手法は、デバイスのスループットのみならずシステムのスループットも増加させる。代替的に、1つの態様において、基地局は、システムスループットを増加させるのではなく、改善されたSINRと引き換えにリンクの信頼性の改善を実現することを決定してもよい。例えば、複数の盲目的反復を実行することを、MCS3を使用するデバイス等の良好なチャネル品質を有するデバイスに義務付ける場合に、基地局におけるそのデバイスからの受信される信号は、より高いSINRを有することが可能である。この場合には、そのデバイスがより高いMCSレベルを使用していない場合に、そのデバイスは、そのデバイスの改善されたSINRレベルに起因してより小さなブロック誤り率を達成することが可能である。
【００３１】
1つの態様において、複数の義務付けられた盲目的な反復は、複数のデバイスが時間ダイバーシティを利用することを可能とすることができ、時間ダイバーシティの利用は、デバイスのデータ送信の信頼性を改善することが可能である。1つの態様において、受信ごとの送信電力を減少させることが可能であり、義務付けられた盲目的な反復を使用するデバイスは、送信電力を増加させることを要しない。
【００３２】
1つの態様において、複数の義務付けられた盲目的な反復は、同じ数の盲目的な反復を実行している整合するデバイスの対を見つけ出すことに関する厳しい制約を排除することが可能である。
【００３３】
1つの態様において、オーバーレイCDMAは、基地局が、1つ又は複数のデバイスのブロック誤り率を減少させつつ、同時に、それらの1つ又は複数のデバイスのスループットを増加させることを可能にする。上記の義務付けられた盲目的な反復は、SINRを大きくして、デバイスのスループットを増加させる。例えば、それぞれ、送信スキーム2及び5を実行する2つのデバイスが存在するシナリオを考慮する。レガシーシステムにおいては、第1のデバイスは、単一のタイムスロットを割り当てられる一方で、他方のデバイスは、2つのタイムスロットを割り当てられる。簡単にするために、それらの2つのデバイスの各々が5[dB]で送信しているということを考慮する。上記のレガシーシステムにおいては、第1のデバイスは、反復を使用せずに送信し、一方、第2のデバイスは、各々が5[dB]を有する2つの盲目的な反復を実行するであろう。この場合には、2つのデバイスのデータを送信するのに、これらの2つのデバイスによって3つの無線リソースが使用されることになる。
【００３４】
同様に、提案された技術を適用することによって、第1のデバイスは、各々が3[dB]を有する2つの盲目的な反復を実行することを義務付けられてもよく、その後、長さが2のアダマール符号を使用して第2のデバイスと多重化されてもよい。それらの符号が完全に直交し、それらの盲目的な反復が完全に結合されるということを仮定する。上記のことは、第1のデバイスのSINRの3[dB]の利得につながり、より高いMCSレベルを利用して第1のデバイスのスループットを増加させるか、又は、同じMCSレベルでの第1のデバイスのBLERを減少させるかのいずれかを可能とする。さらに、多重化技術により1つの無線リソースを解放することが可能である。より低いチャネル品質を有する他方のデバイスのためにその無線リソースを使用することが可能である。MCS4を使用して送信しているとともに、すでに最大の可能なレート/スループットで動作しているデバイスについて、そのBLERパフォーマンスを改善するのに、強化されたオーバーレイCDMA技術を使用してもよいということに留意すべきである。さらに、(例えば、最大の数の盲目的な反復をすでに使用しているデバイス等の)送信スキーム8を使用して送信するデバイスは、電力の不均衡から、利得、すなわち、被る干渉の減少をさらに得ることが可能である。このことは、(例えば、より高いチャネル品質と比較したより低いチャネル品質等の)劣悪なチャネル品質を有するデバイスが、より高いチャネル品質を観測している他方のデバイスとオーバーレイされるために、電力の不均衡がSICの精度を改善するためである。この場合には、より高いチャネル品質を有するデバイスが最初に検出され、SICを使用して、他方のデバイスに関するそのデバイスに干渉を及ぼす電力を除去することが可能である。
【００３５】
このようにして、1つの態様においては、オーバーレイCDMA技術は、(1)  スケジューリングインターバルにおいて複数のデバイスのうちのすべてのデバイスのチャネル品質を取得すること、(2)  潜在的なカバレッジを拡張されたデバイス及び/又は好ましいチャネル条件を有し、オーバーレイすることが可能であるデバイスを識別すること、(3)  各々のデバイスのチャネル品質、目標送信スキーム、及び送信電力レベルを識別すること、(4)  一意の直交するCDMA符号を各々のデバイスに割り当てること、(5)  それらのデバイスに、(例えば、オーバーレイCDMAの有効化、送信スキーム、送信電力レベル、直交符号インデックス等の)オーバーレイCDMA技術と関連する制御情報を信号により送信すること、及び、(6)  基地局において、それらのデバイスに割り当てられた符号に基づいてそれらのデバイスを分離し、そして、それらのデバイスからの受信した信号をIQ結合すること、を含んでもよい。
【００３６】
図4は、1つの例にしたがったモバイルデバイスのための強化されたオーバーレイCDMA送信スキームに関する4つの可能な状態400を図示している。図4に示されているように、電力の観点からのCIoTデバイスについての4つの状態、すなわち、(1)  電力節約状態、(2)  アイドル状態、(3)  送信(Tx)状態、及び受信(Rx)状態が存在してもよい。1つの態様において、ほんの一例として、各々のCIoTデバイスは、"P"としてあらわされる最大限の電力で各々の反復されるバーストを送信(Tx)してもよく、Pは、正の整数である。一方で、一部のCIoTデバイスに利用可能な制限された電力によって、送信(Tx)電力に比較的厳しい制約を課してもよい。そのようなデバイスは、提案されたオーバーレイCDMA技術を使用してオーバーレイされてもよいが、その場合には、反復されるバーストごとに減少した電力を使用する。例えば、電力Pを使用して1つのバーストを送信する代わりに、制限された電力を使用するデバイスは、各々に電力P/4を使用して、送信されるバーストを4回反復してもよい。この場合には、損失のみが、そのデバイスの電子回路において消費される電力によってもたらされるであろう。
【００３７】
ここで、図5を参照すると、図5は、複数の盲目的な反復を実行することをモバイルデバイスに義務付ける強化されたオーバーレイCDMA送信スキームを示している。図5は、送信スキーム1を実行しているデバイスが、4つの(例えば、バースト等の)盲目的な反復を行うことを義務付けられていることを図示している。1つの態様において、あるデバイスが好ましいチャネル条件を有しており、オーバーレイされていない場合には、そのデバイスは、データを送信し、その後、電力節約状態(PSS)に切り替わってもよい。すなわち、図5に示されているデバイスは、時間期間(Tslot)の間、データを送信(Tx)してもよい。一方で、そのデバイスがCDMAオーバーレイされる場合には、そのデバイスは、K個の盲目的な反復を実行することを義務付けられていることに起因する等して、オーバーレイされていない場合の時間期間と比較してより長い時間期間の間、送信するように制約されてもよく、Kは、正の整数である。すなわち、4つの盲目的な反復を実行することをそのデバイスに義務付けてもよく、それしたがって、そのデバイスは、時間期間4×Tslotの間に送信(Tx)してもよい。図5に示されているように、デバイスの合計の送信電力が一定値に維持される可能性があるという事実にもかかわらず、そのデバイスの電子回路を活動状態に保ってもよく、この場合には、追加的な電力消費につながる。しかしながら、そのアイドル状態モード(idle)において失われる電力は、送信状態モードにおいて消費される電力と比較して有意に小さくすることが可能であるので、そのデバイスの電力損失は、許容可能であると考えることが可能である。
【００３８】
1つの態様において、アップリンク(UL)送信を試みている複数のCIoTデバイスを周波数及び時間の双方において完全に同期させなくてもよく、このことは、複数のオーバーレイされたデバイスの間で複数の送信機周波数オフセット及び送信機タイミングオフセットが存在してもよいということを意味している。複数のオーバーレイされたデバイスの各々は、直交する符号を使用しているにもかかわらず、それらの複数のオーバーレイされたデバイスのうちの他のデバイスからの電力漏れに起因する残余の干渉電力を経験する場合がある。その電力漏れに起因する残余の干渉電力に関する難点は、周波数オフセットが増加する場合によりいっそう顕著となる。この難点を軽減するために、SICスキームを採用してもよく、これにより、最も高い信号強度又はSINRを有するデバイスから開始して、それらの複数のオーバーレイされたデバイスからの受信した信号を順番に処理することが可能である。各々の信号を処理して、その信号の送信されたビットを検出した後に、それらの復号されたビットを使用して、受信した信号の推定値を生成してもよく、その後、その推定値を減算して、それらの複数のオーバーレイされたデバイスのうちの残りのデバイスからの受信した信号によって誘起された干渉を除去してもよい。提案された技術の利点の1つは、複数の異なるMCSレベルを有する複数のユーザを同時にオーバーレイすることを可能とすることであるということに留意すべきである。高い電力不均衡によって、SICの品質を改善することが可能であり、したがって、複数のオーバーレイされたデバイスの間の相互の干渉を低減する。
【００３９】
1つの態様において、直交する符号化スキームを使用して、複数のオーバーレイされたデバイスの間の直交性を維持してもよく、それによって、複数のオーバーレイCDMAのデバイスの各々の間の相互の干渉を最小化してもよい。1つの態様において、ウォルシュ・アダマールシーケンス又は離散フーリェ変換(DFT)シーケンス等の直交するシーケンスを各々のデバイスに割り当てることによって、それらの複数のオーバーレイされたデバイスの間の直交性を維持してもよい。
【００４０】
図6は、ある1つの基地局とある1つのモバイルデバイスとの間の強化されたオーバーレイCDMA送信スキームのための複数のシミュレーションパラメータに関する表600の1つの例を示している。図7は、1つの例にしたがってある1つの基地局との強化されたオーバーレイCDMA送信スキームを実行している複数のモバイルデバイスのパフォーマンスのグラフ700を図示している。換言すると、図6のパラメータを使用する場合に、図7に表示されているシミュレーション結果は、提案されたオーバーレイCDMA技術のパフォーマンス利得を示している。パフォーマンスのグラフ700は、秒ごとのビット数(bits  per  second(bps))によるデバイスのスループットの(例えば、F(x)等の)累積的な分布関数(CDF)を図示している。例えば、図7によれば、2つのシナリオにしたがって、各々が完全なバッファ(フルバッファ)を有する40つのデバイスを使用して、提案された技術のパフォーマンスを評価している。第1のシナリオにおいては、オーバーレイされたデバイスの最大の数を4に設定する。第2のシナリオにおいては、オーバーレイされたデバイスの最大数を8に設定する。双方のシナリオにおいて、送信スキーム2、3、及び4を利用しているデバイスに、8つの盲目的な反復を実行することを義務付けるということを仮定する。それらのデバイスは、9[dB]のパフォーマンス利得を有してもよく、したがって、MCS4を使用して送信してもよいということに留意すべきである。さらに、完全なIQ結合を仮定した場合に、2つの反復を組み合わせることによって、3[dB]の電力利得が実現される。
【００４１】
図7に示されているように、オーバーレイCDMA技術は、デバイスのスループットに対して良い影響を与えることが可能である。さらに、オーバーレイされるデバイスの最大数を増加させると、システムスループットに関する利得を有意に増加させるということに留意すべきである。このことは、そのシステムの中のデバイスの数の増加は、ユーザの多様性を高めることに役立つためである。換言すれば、そのシステムの中のデバイスの数を増加させると、オーバーレイCDMA技術の実行の確率を直接的に増加させることが可能であり、したがって、全体的なシステムスループットを改善する。ほんの一例として、図7に示されている複数の数は、システムスループットを図示しており、図7の複数の利得は、システムパラメータに対する依存性を図示している。
【００４２】
本明細書において説明されているように、1つの実施形態において、本発明にしたがった技術は、ある基地局が、複数のモバイルデバイス及び複数の拡張されたカバレッジのデバイスのうちの1つ又は複数に、同じ送信電力レベルを使用して複数の盲目的な反復を行うことを義務付けることが可能であり、それらの複数のモバイルデバイス及びそれらの複数の拡張されたカバレッジのデバイスの双方は、好ましいチャネル品質を有し、複数の盲目的な反復は、2回、4回、8回、又は16回からなってもよいということを提供する。基地局においては、各々のデバイスによって盲目的に反復されたバーストをバッファリングして、それらの盲目的に反復されたバーストに対してIQ結合を実行してもよい。1つの態様において、基地局は、盲目的な反復を行うことを義務付けられているデバイスのためにより高いアップリンクMSCレベルを選択して、それらのデバイスのスループットを改善してもよい。1つの態様において、その基地局は、同じアップリンクMCSレベルを維持しつつ、累積された電力を使用して、リンクの信頼性を増加させてもよい。その基地局は、盲目的な反復を行うことを義務付けられたデバイス及び拡張されたカバレッジのデバイスをオーバーレイすることによって、無線リソースを解放してもよい。
【００４３】
他の態様において、基地局は、拡張されたカバレッジのデバイスのほかに、好ましいチャネル品質を有する複数のデバイスのうちの一部に、減少させられた送信電力レベルでK個の盲目的な反復を行うことを義務付けてもよく、Kは、正の整数である。基地局は、複数の盲目的な反復を行うことを義務付けられたデバイスと拡張されたカバレッジのデバイスとをオーバーレイすることによって、無線リソースを解放してもよい。基地局は、最も低いアップリンクMCSレベルの成功した検出に使用された盲目的な反復の数と比較してより大きな数の盲目的な反復を行うことをそれらの拡張されたカバレッジのデバイスに義務付けてもよい。
【００４４】
1つの態様において、基地局は、追加の盲目的な反復を行うことを義務付けられている複数のデバイスのためにより高いアップリンクMCSレベルを選択して、そのデバイスのスループットを改善してもよい。1つの態様において、基地局は、同じアップリンクMCSレベルを維持して、リンクの信頼性を増加させてもよい。基地局は、オーバーレイCDMAのためのさまざまなチャネル品質にかかわらず、それらの複数のデバイスを多重化してもよい。例えば、基地局は、ある選択された数のカバレッジを拡張したデバイス及びある選択された数のデバイスを多重化することを選択してもよく、それらのある選択された数のデバイスは、カバレッジを拡張したデバイスの盲目的な反復の数と一致するように、K個の盲目的な反復を行うことを義務付けられている。すなわち、(例えば、あらかじめ規定された基準及び/又は通常の動作レベル又は定常状態条件にあるチャネル品質、或いはそれらを上回るチャネル品質を表す良好な、高い、又は好ましい等の)良好なチャネル品質条件を有する複数のモバイルデバイスに、K個の盲目的な反復を行うことを義務付けて、基地局が、(例えば、あらかじめ規定された基準を下回るチャネル品質及び/又は通常の動作レベル又は定常状態条件を下回るチャネル品質を表す低い、劣悪な、又は好ましくない等の)低いチャネル品質条件を有するデバイスと上記の良好なチャネル品質条件を有するデバイスとをオーバーレイすることを可能にする。
【００４５】
チャネル品質の多様性は、逐次干渉除去受信機が適切に機能するのを支援することを可能とする。また、基地局は、複数の盲目的な反復を行うことを義務付けられているデバイスに、ダウンリンク(DL)制御チャネル又はより上位層のシグナリングを使用して、オーバーレイCDMAの有効化、(MCSの選択、反復の数等の)送信スキームの選択、送信電力レベル、直交する符号のインデックスのための複数のメッセージを信号により送信してもよい。
【００４６】
他の例は、図8のフローチャートに示されているように、基地局の機能800を提供し、その基地局は、強化されたオーバーレイ符号分割多元接続(CDMA)を実行して、モバイルデバイスとのアップリンク(UL)送信容量を増加させるように動作することが可能である。その機能は、方法として実装されてもよく、又は、その機能は、機械によって複数の命令として実行されてもよく、それらの複数の命令は、1つ又は複数のコンピュータ読み取り可能な媒体、或いは、1つ又は複数の非一時的機械読み取り可能な媒体に含まれている。基地局は、1つ又は複数のプロセッサ及びメモリを含んでいてもよく、それらの1つ又は複数のプロセッサ及びメモリは、ブロック810に示されているように、スケジューリングインターバルにおいて、複数のモバイルデバイスについてのチャネル品質条件を取得するように構成される。基地局は、1つ又は複数のプロセッサ及びメモリを含んでいてもよく、それらの1つ又は複数のプロセッサ及びメモリは、ブロック820に示されているように、複数のモバイルデバイスの各々について、チャネル品質、目標送信スキーム、及び送信電力レベルを識別するように構成される。基地局は、1つ又は複数のプロセッサ及びメモリを含んでいてもよく、それらの1つ又は複数のプロセッサ及びメモリは、ブロック830に示されているように、複数のモバイルデバイスの各々に、一意の直交するCDMA符号を割り当てるように構成される。基地局は、1つ又は複数のプロセッサ及びメモリを含んでいてもよく、それらの1つ又は複数のプロセッサ及びメモリは、ブロック840に示されているように、アップリンク(UL)データのK個の反復されたバーストを送信することをそれらの複数のモバイルデバイスに義務付けるように構成され、K個の反復されたバーストは、各々が、複数のモバイルデバイスの各々に割り当てられた一意の直交するCDMA符号に基づく回転させられた位相シフトを有し、それらの複数のモバイルデバイスの各々は、それらの複数のモバイルデバイスの送信された信号をオーバーレイするための同じ物理チャネルにおいて多重化される。値Kは、オーバーレイCDMAを有する複数のモバイルデバイスの数と等しいか又はより大きい正の整数である。基地局は、1つ又は複数のプロセッサ及びメモリを含んでいてもよく、それらの1つ又は複数のプロセッサ及びメモリは、ブロック850に示されているように、複数のモバイルデバイスから、K個の反復されたバーストを受信するように構成され、それらのK個の反復されたバーストは、CDMAをオーバーレイするための同じ物理チャネルにおいて、各々多重化される。基地局は、1つ又は複数のプロセッサ及びメモリを含んでいてもよく、それらの1つ又は複数のプロセッサ及びメモリは、ブロック860に示されているように、一意の直交するCDMA符号にしたがって複数のモバイルデバイスを分離し、同相(I)及び直角位相(Q)(IQ)の累積を使用して、K個の反復されたバーストを組み合わせるように構成される。
【００４７】
また、図8の複数のステップのうちの1つ又は複数において、基地局は、1つ又は複数のプロセッサ及びメモリを含んでいてもよく、それらの1つ又は複数のプロセッサ及びメモリは、複数のモバイルデバイスを識別するように構成され、それらの複数のモバイルデバイスは、オーバーレイCDMAの能力を有しているとともにより低い効率のチャネル品質条件を有するモバイルデバイスと比較してより高い効率のチャネル品質条件を有し、K個の反復されたバーストを送信することを義務付けられているモバイルデバイスは、より低い効率のチャネル品質条件を有するモバイルデバイスと比較してより高い効率のチャネル品質条件を有する。基地局は、1つ又は複数のプロセッサ及びメモリを含んでいてもよく、それらの1つ又は複数のプロセッサ及びメモリは、より低い効率のチャネル品質条件を有するモバイルデバイスと比較してより高い効率のチャネル品質条件を有するモバイルデバイス及び拡張されたカバレッジのデバイスに、K個の反復されたバーストを送信することを義務付けるように構成される。基地局は、1つ又は複数のプロセッサ及びメモリを含んでいてもよく、それらの1つ又は複数のプロセッサ及びメモリは、K個の反復されたバーストを送信するように義務付けられているとともに、より低い効率のチャネル品質条件を有するモバイルデバイスと比較してより高い効率のチャネル品質条件を有するモバイルデバイス及び拡張されたカバレッジのデバイスによって送信されたK個の反復されたバーストのマッチングを実行するように構成される。基地局は、1つ又は複数のプロセッサ及びメモリを含んでいてもよく、それらの1つ又は複数のプロセッサ及びメモリは、より低い効率のチャネル品質条件を有するモバイルデバイスと比較してより高い効率のチャネル品質条件を有するモバイルデバイスのうちの一部のみ及び拡張されたカバレッジのデバイスに、K個の反復されたバーストを送信することを義務付けるように構成される。基地局は、1つ又は複数のプロセッサ及びメモリを含んでいてもよく、それらの1つ又は複数のプロセッサ及びメモリは、より低い効率のチャネル品質条件を有するモバイルデバイスと比較してより高い効率のチャネル品質条件を有するモバイルデバイスのうちの一部のみ及び拡張されたカバレッジのデバイスに、K個の反復されたバーストを送信することを義務付けるように構成される。基地局は、1つ又は複数のプロセッサ及びメモリを含んでいてもよく、それらの1つ又は複数のプロセッサ及びメモリは、K個の反復されたバーストの各々をバッファリングするように構成される。基地局は、1つ又は複数のプロセッサ及びメモリを含んでいてもよく、それらの1つ又は複数のプロセッサ及びメモリは、一意の直交するCDMA符号を使用して、K個の反復されたバーストを送信することを義務付けられているモバイルデバイス及び拡張された無線カバレッジのモバイルデバイスを、無線リソースの同じセットに同時に多重化するように構成される。基地局は、1つ又は複数のプロセッサ及びメモリを含んでいてもよく、それらの1つ又は複数のプロセッサ及びメモリは、K個の反復されたバーストを送信することを義務付けられているモバイルデバイスのためにより高いアップリンク変調及び符号化スキーム(MCS)レベ��を選択するように構成される。基地局は、1つ又は複数のプロセッサ及びメモリを含んでいてもよく、それらの1つ又は複数のプロセッサ及びメモリは、K個の反復されたバーストを送信することを義務付けられているモバイルデバイスのために同じアップリンク変調及び符号化スキーム(MCS)レベルを選択し、送信電力の累積を使用して、UL送信の信頼性を増加させるように構成される。基地局は、1つ又は複数のプロセッサ及びメモリを含んでいてもよく、それらの1つ又は複数のプロセッサ及びメモリは、モバイルデバイスが最大の送信電力を使用しているとともにそれらのモバイルデバイスから受信したK個の反復されたバーストを処理し、及び/又はモバイルデバイスが減少した送信電力を使用しているとともにそれらのモバイルデバイスから受信したK個の反復されたバーストを処理するように構成される。基地局は、1つ又は複数のプロセッサ及びメモリを含んでいてもよく、それらの1つ又は複数のプロセッサ及びメモリは、逐次干渉除去(SIC)スキームを使用して、K個の反復されたバーストの信号強度にしたがって、それらの受信したK個の反復されたバーストを順番に処理するように構成される。K個の反復されたバーストのKの値は、それらのK個の反復されたバーストについて2、4、8、又は16のうちの1つであってもよい。1つの態様において、K個の反復されたバーストのKの値は、それらのK個の反復されたバーストについて、2、4、8、16、又はシステムパラメータ、システム設計、及び/又はシステム構成に従った整数と比較してより大きい正の整数のうちの1つであってもよい。
【００４８】
他の例は、図9のフローチャートに示されているように、ユーザ機器(UE)等のモバイルデバイスの機能900を提供し、そのモバイルデバイスは、強化されたオーバーレイ符号分割多元接続(CDMA)を実行して、基地局とのアップリンク(UL)送信容量を増加させるように動作することが可能である。その機能は、方法として実装されてもよく、又は、その機能は、機械によって複数の命令として実行されてもよく、それらの複数の命令は、1つ又は複数のコンピュータ読み取り可能な媒体、或いは、1つ又は複数の非一時的機械読み取り可能な媒体に含まれている。モバイルデバイスは、1つ又は複数のプロセッサ及びメモリを含んでいてもよく、それらの1つ又は複数のプロセッサ及びメモリは、ブロック910に示されているように、そのモバイルデバイスに割り当てられているとともにある1つのeNodeBから受信される一意の直交するCDMA符号を処理するように構成される。モバイルデバイスは、1つ又は複数のプロセッサ及びメモリを含んでいてもよく、それらの1つ又は複数のプロセッサ及びメモリは、ブロック920に示されているように、アップリンク(UL)データのK個の反復されたバーストを繰り返し送信するように構成され、それらのK個の反復されたバーストは、一意の直交するCDMA符号に基づく位相シフトだけ回転させられている。モバイルデバイスは、1つ又は複数のプロセッサ及びメモリを含んでいてもよく、それらの1つ又は複数のプロセッサ及びメモリは、ブロック930に示されているように、モバイルデバイスの各々に一意の直交するCDMA符号を割り当てるように構成される。モバイルデバイスは、1つ又は複数のプロセッサ及びメモリを含んでいてもよく、それらの1つ又は複数のプロセッサ及びメモリは、ブロック940に示されているように、CDMAをオーバーレイするための同じ物理チャネルに、そのモバイルデバイスのK個の反復されたバーストの各々と、別のモバイルデバイスの他のUL送信とを多重化するように構成され、Kの値は、オーバーレイCDMAを有する複数のモバイルデバイスの数と等しいか又はより大きい正の整数であってもよく、複数のモバイルデバイスの信号は、一意の直交するCDMA符号にしたがってeNodeBにおいて分離されてもよく、IQの累積を使用して、K個の反復されたバーストを組み合わせる。
【００４９】
また、図9の複数のステップのうちの1つ又は複数において、モバイルデバイスは、1つ又は複数のプロセッサ及びメモリを含んでもよく、それらの1つ又は複数のプロセッサ及びメモリは、アップリンク(UL)データのK個の反復されたバーストを繰り返し送信するように構成され、そのモバイルデバイスは、オーバーレイCDMAの能力を有しているとともにより低い効率のチャネル品質条件を有する他のモバイルデバイスと比較してより高い効率のチャネル品質条件を有し、そのモバイルデバイスは、K個の反復されたバーストを送信することをeNodeBによって義務付けられる。また、オーバーレイCDMAの能力を有しているとともにより低い効率のチャネル品質条件を有する他のモバイルデバイスと比較してより高い効率のチャネル品質条件を有し、ULデータのK個の反復されたバーストを繰り返し送信するモバイルデバイス及び拡張されたカバレッジのデバイスの双方は、ULデータのK個の反復されたバーストを送信してもよく、それらのK個の反復されたバーストは、一意の直交するCDMA符号に基づく位相シフトだけ回転させられている。モバイルデバイスは、1つ又は複数のプロセッサ及びメモリを含んでいてもよく、それらの1つ又は複数のプロセッサ及びメモリは、K個の反復されたバーストの各々をバッファリングするように構成される。モバイルデバイスは、1つ又は複数のプロセッサ及びメモリを含んでいてもよく、それらの1つ又は複数のプロセッサ及びメモリは、一意の直交するCDMA符号を使用して、K個の反復されたバーストを送信することを義務付けられているモバイルデバイス及び拡張された無線カバレッジのモバイルデバイスを、無線リソースの同じセットに同時に多重化するように構成される。モバイルデバイスは、1つ又は複数のプロセッサ及びメモリを含んでいてもよく、それらの1つ又は複数のプロセッサ及びメモリは、より高いアップリンク変調及び符号化スキーム(MCS)レベルでの送信のためにK個の反復されたバーストを処理するように構成される。モバイルデバイスは、1つ又は複数のプロセッサ及びメモリを含んでいてもよく、それらの1つ又は複数のプロセッサ及びメモリは、同じアップリンク変調及び符号化スキーム(MCS)レベルを使用する送信のためにK個の反復されたバーストを処理し、最大の送信電力を使用する送信のためにK個の反復されたバーストを処理し、及び/又は減少させられた送信電力を使用する送信のためにK個の反復されたバーストを処理するように構成され、Kは、K個の反復されたバーストについて2、4、8、又は16のうちの1つであってもよい。モバイルデバイスは、1つ又は複数のプロセッサ及びメモリを含んでいてもよく、それらの1つ又は複数のプロセッサ及びメモリは、eNodeBに、チャネル品質条件、目標送信スキーム、及び送信電力レベルをフィードバックするように構成される。
【００５０】
他の例は、図10のフローチャートに示されているように、複数の命令1000を有する1つ又は複数の一時的機械読み取り可能な記憶媒体又は非一時的機械読み取り可能な記憶媒体を提供し、それらの複数の命令1000は、上記の記憶媒体に具現化されており、強化されたオーバーレイ符号分割多元接続(CDMA)を実行して、基地局とモバイルデバイスとの間のアップリンク(UL)送信容量を増加させる。方法は、1つ又は複数のプロセッサ及びメモリを含むか又はそれらの1つ又は複数のプロセッサ及びメモリと関連していてもよい1つの機械によって複数の命令として実行されてもよく、それらの複数の命令は、1つ又は複数のコンピュータ読み取り可能な媒体或いは1つ又は複数の非一時的機械読み取り可能な記憶媒体に含まれる。それらの命令は、(例えば、1つ又は複数のプロセッサ及びメモリによって)実行されると、ブロック1010に示されているように、複数のモバイルデバイスの各々について、チャネル品質、目標送信スキーム、及び送信電力レベルを識別するステップを実行する。それらの複数の命令は、実行されると、ブロック1020に示されているように、複数のモバイルデバイスの各々に一意の直交するCDMA符号を割り当てるステップを実行する。それらの複数の命令は、実行されると、ブロック1030に示されているように、ULデータのK個の反復されたバーストを送信することをそれらの複数のモバイルデバイスに義務付けるステップを実行し、K個の反復されたバーストの各々は、それらの複数のモバイルデバイスの各々に割り当てられている一意の直交するCDMA符号に基づく回転させられた位相シフトを有し、それらの複数のモバイルデバイスの各々は、それらの複数のモバイルデバイスの送信された信号をオーバーレイするための同じ物理チャネルに多重化され、Kは、それらの複数のモバイルデバイスによって実行されるオーバーレイCDMA操作を有するように構成されるモバイルデバイスの数と等しいか又はより大きい正の整数である。それらの命令は、1つ又は複数のプロセッサ及びメモリによって実行されると、ブロック1040に示されているように、複数のモバイルデバイスから受信したK個の反復されたバーストを処理するステップを実行する。それらの命令は、実行されると、ブロック1050に示されているように、一意の直交するCDMA符号にしたがって複数のモバイルデバイスの信号を分離し、同相(I)及び直角位相(Q)(IQ)の累積を使用して、K個の反復されたバーストを組み合わせるステップを実行する。
【００５１】
また、図10の複数のステップのうちの1つ又は複数において、複数の命令は、1つ又は複数のプロセッサ及びメモリによって実行されると、スケジューリングインターバルにおいて、複数のモバイルデバイスについてチャネル品質条件を取得し、及び/又はオーバーレイCDMAの能力を有しているとともにより低い効率のチャネル品質条件を有するモバイルデバイスと比較してより高い効率のチャネル品質条件を有するモバイルデバイスを識別するステップを実行し、K個の反復されたバーストを送信することを義務付けられるモバイルデバイスは、より低い効率のチャネル品質条件を有するモバイルデバイスと比較してより高い効率のチャネル品質条件を有する。複数の命令は、1つ又は複数のプロセッサ及びメモリによって実行されると、より低い効率のチャネル品質条件を有するモバイルデバイスと比較してより高い効率のチャネル品質条件を有するモバイルデバイス及び拡張されたカバレッジのデバイスに、K個の反復されたバーストを送信することを義務付けるステップを実行し、Kは、K個の反復されたバーストについて、2、4、8、又は16、或いは、(システム設計又はシステム仕様に基づいていてもよい)1よりも大きい正の整数のうちの1つである。
【００５２】
図11は、ユーザ機器(UE)、モバイル局(MS)、モバイル無線デバイス、モバイル通信デバイス、タブレット、ハンドセット、又は他のタイプの無線デバイス等の無線デバイス1100の1つの例示的な解説を提供する。1つの態様において、無線デバイスは、アンテナ、タッチセンサー式のディスプレイスクリーン、スピーカ、マイクロフォン、グラフィックスプロセッサ、アプリケーションプロセッサ、内部メモリ、不揮発性メモリポート、及びそれらの組み合わせのうちの少なくとも1つを含んでもよい。無線デバイスは、1つ又は複数のアンテナを含んでもよく、それらの1つ又は複数のアンテナは、基地局(BS)、進化型NodeB(eNB)、ベースバンドユニット(BBU)、リモート無線ヘッド(RRH)、リモート無線機器(RRE)、中継局(RS)、無線機器(RE)、リモート無線ユニット(RRU)、中央処理モジュール(CPM)、又は他のタイプの無線ワイドエリアネットワーク(WWAN)アクセスポイント等のノード又は送信局と通信するように構成される。3GPP  LTE、WiMAX、高速パケットアクセス(HSPA)、ブルートゥース（登録商標）、及びWiFiを含む少なくとも1つの無線通信規格を使用して通信を実行するように、その無線デバイスを構成してもよい。無線デバイスは、各々の無線通信規格のための個別のアンテナを使用して通信してもよく、又は複数の無線通信規格のための共用アンテナを使用して通信してもよい。無線デバイスは、無線ローカルエリアネットワーク(WLAN)、無線パーソナルエリアネットワーク(WPAN)、及び/又はWWANの中で通信してもよい。
【００５３】
さまざまな技術、或いは、それらの技術の複数の態様又は部分は、フロッピーディスク、コンパクトディスク読み出し専用メモリ(CD-ROM)、ハードドライブ、非一時的なコンピュータ読み取り可能な記憶媒体、又はいずれかの他の機械読み取り可能な記憶媒体等の有体的な媒体の中に具現化されるプログラムコード(すなわち、複数の命令)の形態をとってもよく、そのプログラムコードがコンピュータ等の機械にロードされ、その機械によって実行されると、その機械は、さまざまな技術を実行するための装置となる。回路は、ハードウェア、ファームウェア、プログラムコード、実行可能なコード、コンピュータ命令、及び/又はソフトウェアを含んでもよい。非一時的なコンピュータ読み取り可能な記憶媒体は、信号を含まないコンピュータ読み取り可能な記憶媒体であってもよい。プログラム可能なコンピュータによってプログラムコードを実行する場合に、コンピューティングデバイスは、プロセッサ、そのプロセッサによって読み取り可能な(揮発性メモリ及び不揮発性メモリ及び/又は記憶素子を含む)記憶媒体、少なくとも1つの入力デバイス、及び少なくとも1つの出力デバイスを含んでもよい。揮発性メモリ及び不揮発性メモリ及び/又は記憶素子は、ランダムアクセスメモリ(RAM)、消去可能かつプログラム可能な読み出し専用メモリ(EPROM)、フラッシュドライブ、光ドライブ、磁気ハードドライブ、ソリッドステイトドライブ、又は電子データを格納するための他の媒体であってもよい。ノード及び無線デバイスは、トランシーバーモジュール(すなわち、トランシーバー)、カウンタモジュール(すなわち、カウンタ)、処理モジュール(すなわち、プロセッサ)、及び/又はクロックモジュール(すなわち、クロック)、又はタイマモジュール(すなわち、タイマ)を含んでもよい。本明細書において説明されるさまざまな技術を実装し又は利用することが可能である1つ又は複数のプログラムは、アプリケーションプログラミングインターフェイス(API)、再利用可能な制御等を使用してもよい。ハイレベル手続き型プログラミング言語又はオブジェクト指向のプログラミング言語によって上記のプログラムを実装して、コンピュータシステムと通信してもよい。一方で、要求に応じて、アセンブリ言語又は機械語によって1つ又は複数のプログラムを実装してもよい。いずれかの場合において、そのような言語は、コンパイルされた言語又は解釈された言語であってもよく、ハードウェアの実装と組み合わせられてもよい。
【００５４】
本明細書において使用されているように、"プロセッサ"との記載は、汎用プロセッサ、VLSI、FPGA等の専用化されたプロセッサ、又は他のタイプの専用化されたプロセッサのみならず、トランシーバーの中で使用されるベースバンドプロセッサを含んでもよく、無線通信を送信し、受信し、そして処理してもよい。
【００５５】
本明細書で説明された機能的ユニットの多くは、それらの実装の独立性をより具体的に強調するために、複数のモジュールとして分類されてきたということを理解すべきである。例えば、特別注文の超大規模集積(VLSI)回路又はゲートアレイ、ロジックチップ、トランジスタ、又は他の個別の構成要素等の既成の半導体を含むハードウェア回路として、モジュールを実装してもよい。また、フィールドプログラマブルゲートアレイ、プログラマブルアレイロジック、又はプログラマブルロジックデバイス等のプログラマブルハードウェアデバイスによってモジュールを実装してもよい。
【００５６】
さまざまなタイプのプロセッサによる実行のために、ソフトウェアによってモジュールを実装してもよい。実行可能なコードの識別されたモジュールは、例えば、複数のコンピュータ命令の1つ又は複数の物理的なブロック又は論理的なブロックを含んでもよく、それらの物理的なブロック又は論理的なブロックは、例えば、オブジェクト、手順、又は機能として体系化されてもよい。にもかかわらず、ある1つの識別されたモジュールの複数の実行ファイルは、物理的に一緒に位置している必要はなく、複数の異なる位置に格納されている複数の全く異なる命令を含んでもよく、それらの複数の命令が論理的に結び付けられる場合に、そのモジュールを含み、そのモジュールのための表記された目的を達成する。
【００５７】
実際には、実行可能なコードのモジュールは、単一の命令であってもよく又は多くの命令であってもよく、そして、複数の異なるコードセグメントにわたって分散させられていてもよく、複数の異なるプログラムの間で分散させられていてもよく、複数の異なるメモリデバイスにわたって分散させられていてもよい。本明細書においては、同様に、運用データ(operational  data)は、複数のモジュールの中で特定され、説明されてもよく、いずれかの適切な形態で具体化されてもよく、いずれかの適切なデータ構造の中で体系化されてもよい。運用データは、単一のデータセットとして集められてもよく、又は、複数の異なる記憶デバイスを含む複数の異なる位置にわたって分散させられていてもよく、少なくともその一部分が、単に、システム又はネットワークにおける電気信号として存在していてもよい。モジュールは、受動的であっても能動的であってもよく、複数のエージェント(agents)を含んでもよく、それらの複数のエージェントは、要求される機能を実行するように動作可能である。
【００５８】
本明細書において使用されているように、"回路"の語は、(1つ又は複数のソフトウェアプログラム又はファームウェアプログラムを実行する)特定用途向け集積回路(ASIC)、電子回路、(共有プロセッサ、専用プロセッサ、又はグループプロセッサ等の)プロセッサ、及び/又は(共有メモリ、専用メモリ、又はグループメモリ等の)メモリ、組合せ論理回路、及び/又は他の適切なハードウェア構成要素を指してもよく、これらのハードウェア構成要素の一部であってもよく、又はこれらのハードウェア構成要素を含んでいてもよく、これらのハードウェア構成要素は、要求される機能を提供する。いくつかの態様において、回路は、1つ又は複数のソフトウェアモジュール又はファームウェアモジュールの中で実装されてもよく、その回路と関連する機能は、1つ又は複数のソフトウェアモジュール又はファームウェアモジュールによって実装されてもよい。いくつかの態様においては、回路は、少なくともその一部分がハードウェアの中で動作可能なロジックを含んでもよい。
【００５９】
本明細書で説明される複数の態様は、いずれかの適切に構成されたハードウェア及び/又はソフトウェアを使用するシステムとして実装されてもよい。
【００６０】
図12は、1つの態様について、ユーザ機器(UE)デバイス1200の例示的な構成要素を図示している。いくつかの態様において、そのUEデバイス1200は、アプリケーション回路1202、ベースバンド回路1204、無線周波数(RF)回路1206、フロントエンドモジュール(FEM)回路1208、及び1つ又は複数のアンテナ1210を含んでもよく、これらの構成要素は、少なくとも示されているように接続されている。
【００６１】
アプリケーション回路1202は、1つ又は複数のアプリケーションプロセッサを含んでもよい。例えば、アプリケーション回路1202は、これらには限定されないが、1つ又は複数のシングルコアプロセッサ又はマルチコアプロセッサ等の回路を含んでもよい。1つ又は複数のプロセッサは、複数の汎用プロセッサ及び(例えば、グラフィックスプロセッサ、アプリケーションプロセッサ等の)複数の専用プロセッサのいずれかの組み合わせを含んでもよい。それらのプロセッサは、記憶媒体1212と接続されてもよく、及び/又は記憶媒体1212を含んでもよく、記憶媒体1212に格納されている複数の命令を実行して、さまざまなアプリケーション及び/又はオペレーティングシステムがシステム上で実行されるのを可能とするように構成されてもよい。
【００６２】
ベースバンド回路1204は、これらには限定されないが、1つ又は複数のシングルコアプロセッサ又はマルチコアプロセッサ等の回路を含んでいてもよい。ベースバンド回路1204は、1つ又は複数のベースバンドプロセッサ及び/又は制御ロジックを含んでもよく、1つ又は複数のベースバンドプロセッサ及び/又は制御ロジックは、RF回路1206の受信信号経路から受信されるベースバンド信号を処理するとともに、RF回路1206の送信信号経路のためのベースバンド信号を生成してもよい。ベースバンド処理回路1204は、ベースバンド信号の生成及び処理のため、及びRF回路1206の動作を制御するために、アプリケーション回路1202とのインターフェイスを提供してもよい。例えば、いくつかの態様において、ベースバンド回路1204は、第2世代(2G)ベースバンドプロセッサ1204a、第3世代(3G)ベースバンドプロセッサ1204b、第4世代(4G)ベースバンドプロセッサ1204c、及び/又は他の既存の世代及び開発段階にあるか又は(例えば、第5世代(5G)、第6世代(6G)等の)将来的に開発されるであろう世代のための1つ又は複数の他のベースバンドプロセッサ1204dを含んでもよい。(例えば、ベースバンドプロセッサ1204a乃至1204dのうちの1つ又は複数の)ベースバンド回路1204は、さまざまな無線制御機能を取り扱い、それらのさまざまな無線制御機能は、RF回路1206を通じての1つ又は複数の無線ネットワークとの通信を可能にする。無線制御機能は、これらには限定されないが、信号変調/復調機能、符号化/復号化機能、無線周波数シフト機能等を含んでもよい。いくつかの態様において、ベースバンド回路1204の変調/復調回路は、高速フーリェ変換(FFT)機能、プリコーディング機能、及び/又は信号点配置のマッピング/逆マッピング機能を含んでもよい。いくつかの態様において、ベースバンド回路1204の符号化/復号化回路は、畳み込み機能、テールバイティング畳み込み(tail-biting  convolution)機能、ターボ符号化器/復号化器機能、ビタビ符号化器/復号化器機能、及び/又は低密度パリティチェック(LDPC)符号化器/復号化器機能を含んでもよい。変調/復調機能及び符号化器/復号化器機能の複数の態様は、これらの例には限定されず、他の態様の他の適切な機能を含んでもよい。
【００６３】
いくつかの態様において、ベースバンド回路1204は、例えば、物理(PHY)層要素、メディアアクセス制御(MAC)層要素、無線リンク制御(RLC)層要素、パケットデータコンバージェンスプロトコル(PDCP)層要素、及び/又は無線リソース制御(RRC)層要素を含む進化型ユニバーサル地上波無線アクセスネットワーク(EUTRAN)プロトコルの要素等のプロトコルスタックの要素を含んでもよい。PHY層、MAC層、RLC層、PDCP層、及び/又はRRC層のシグナリングのためにプロトコルスタックの複数の要素を実行するように、ベースバンド回路1204の中央処理ユニット(CPU)1204eを構成してもよい。いくつかの態様において、ベースバンド回路1204は、1つ又は複数の音声ディジタル信号プロセッサ(DSP)1204fを含んでもよく、他の態様の他の適切な処理要素を含んでいてもよい。いくつかの態様において、ベースバンド回路1204の複数の構成要素は、単一のチップ又は単一のチップセットの中で適切に組み合わせられてもよく、或いは、同じ回路基板に配置されてもよい。いくつかの態様において、ベースバンド回路1204及びアプリケーション回路1202の複数の構成要素のうちの一部又はすべてを、例えば、1つのシステムオンチップ(SoC)等に一緒に実装してもよい。
【００６４】
いくつかの態様において、ベースバンド回路1204は、1つ又は複数の無線技術に準拠した通信を提供してもよい。いくつかの態様において、例えば、ベースバンド回路1204は、進化型ユニバーサル地上波無線アクセスネットワーク(EUTRAN)及び/又は他の無線大都市圏ネットワーク(WMAN)、無線ローカルエリアネットワーク(WLAN)、及び無線パーソナルエリアネットワーク(WPAN)との通信をサポートしてもよい。ベースバンド回路1204が1つより多くの無線プロトコルに関する無線通信をサポートするように構成される態様は、マルチモードベースバンド回路と称されてもよい。
【００６５】
RF回路1206は、非固形の媒体により、変調された電磁放射を使用して複数の無線ネットワークとの通信を可能にしてもよい。さまざまな態様において、RF回路1206は、スイッチ、フィルタ、増幅器等を含み、無線ネットワークとの通信を容易にしてもよい。RF回路1206は、受信信号経路を含んでもよく、その受信信号経路は、フロントエンドモジュール(FEM)回路1208から受信したRF信号をダウンコンバートしてベースバンドカイロ１２０４にベースバンド信号を提供する回路を含んでもよい。RF回路1206は、送信信号経路を含んでもよく、その送信信号経路は、ベースバンド回路1204によって供給されたベースバンド信号をアップコンバートして、送信のためにFEM回路1208にRF出力信号を供給する回路を含んでいてもよい。
【００６６】
いくつかの態様において、RF回路1206は、受信信号経路及び送信信号経路を含んでいてもよい。RF回路1206の受信信号経路は、ミキサー回路1206a、増幅器回路1206b、及びフィルタ回路1206cを含んでもよい。RF回路1206の送信信号経路は、フィルタ回路1206c及びミキサー回路1206aを含んでいてもよい。RF回路1206は、合成器回路1206dをさらに含んでもよく、合成器回路1206dは、受信信号経路及び送信信号経路のミキサー回路1206aによって使用するために周波数を合成するように構成される。いくつかの態様において、受信信号経路のミキサー回路1206aは、合成器回路1206dによって供給された合成された周波数に基づいて、FEM回路1208から受信したRF信号をダウンコンバートするように構成されていてもよい。増幅器回路1206bは、ダウンコンバートされた信号を増幅するように構成されていてもよく、フィルタ回路1206cは、ローパスフィルタ(LPF)又はバンドパスフィルタ(BPF)をであってもよく、ローパスフィルタ(LPF)又はバンドパスフィルタ(BPF)は、ダウンコンバートされた信号から望ましくない信号を除去して、出力ベースバンド信号を生成するように構成されてもよい。さらなる処理のためにベースバンド回路1204に出力ベースバンド信号を供給してもよい。いくつかの態様において、出力ベースバンド信号は、ゼロ周波数ベースバンド信号を含んでもよいが、このことは必須ではない。いくつかの態様において、受信信号経路のミキサー回路1206aは、パッシブミキサーを含んでもよいが、複数の態様の範囲は、この点においては限定されない。
【００６７】
いくつかの態様において、送信信号経路のミキサー回路1206aは、合成器回路1206dによって供給された合成された周波数に基づいて、入力ベースバンド信号をアップコンバートして、FEM回路1208のためのRF出力信号を生成するように構成されてもよい。ベースバンド回路1204によってベースバンド信号を供給してもよく、フィルタ回路1206cによってベースバンド信号をフィルタリングしてもよい。フィルタ回路1206cは、ローパスフィルタ(LPF)を含んでもよいが、複数の態様の範囲は、この点においては限定されない。
【００６８】
いくつかの態様において、受信信号経路のミキサー回路1206a及び送信信号経路のミキサー回路1206aは、2つ以上のミキサーを含んでもよく、それぞれ、直角位相ダウンコンバージョン及び/又はアップコンバージョンのために設計されてもよい。いくつかの態様において、受信信号経路のミキサー回路1206a及び送信信号経路のミキサー回路1206aは、2つ以上のミキサーを含んでもよく、(例えば、ハートレイイメージリジェクション等の)イメージリジェクションのために設計されてもよい。いくつかの態様において、受信信号経路のミキサー回路1206a及び送信信号経路のミキサー回路1206aは、それぞれ、ダイレクトダウンコンバージョン及び/又はダイレクトアップコンバージョンのために設計されてもよい。いくつかの態様において、受信信号経路のミキサー回路1206a及び送信信号経路のミキサー回路1206aは、スーパーヘテロダイン動作のために設計されてもよい。
【００６９】
いくつかの態様において、出力ベースバンド信号及び入力ベースバンド信号は、アナログベースバンド信号であってもよいが、複数の態様の範囲は、この点においては限定されない。いくつかの代替的な態様において、出力ベースバンド信号及び入力ベースバンド信号は、ディジタルベースバンド信号であってもよい。これらの代替的な態様においては、RF回路1206は、アナログディジタル変換器(ADC)回路及びディジタルアナログ変換器(DAC)回路を含んでもよく、ベースバンド回路1204は、ディジタルベースバンドインターフェイスを含み、RF回路1206と通信してもよい。
【００７０】
いくつかのデュアルモードの実施形態において、各々のスペクトラムのための信号を処理するために個別の無線IC回路を用意してもよいが、複数の実施形態の範囲は、この点においては限定されない。
【００７１】
いくつかの実施形態において、合成器回路1206dは、フラクショナルN合成器又はフラクショナルN/N+1合成器であってもよいが、他のタイプの周波数合成器が適切である可能性がある場合には、複数の実施形態の範囲は、この点においては限定されない。例えば、合成器回路1206dは、デルタシグマ合成器、周波数逓倍器、又は周波数分周器を有する位相ロックループを含む合成器であってもよい。
【００７２】
合成器回路1206dは、周波数入力及び分周器制御入力に基づいて、RF回路1206のミキサー回路1206aによって使用するために、出力周波数を合成するように構成されてもよい。いくつかの実施形態において、合成器回路1206dは、フラクショナルN/N+1合成器であってもよい。
【００７３】
いくつかの実施形態において、電圧制御発振器(VCO)によって周波数入力を提供してもよいが、そのことは、必須のことではない。望ましい出力周波数に応じて、ベースバンド回路1204又はアプリケーションプロセッサ1202のいずれかによって分周器制御入力を提供してもよい。いくつかの実施形態において、アプリケーションプロセッサ1202によって示されるチャネルに基づいて、(例えば、N等の)分周器制御入力をルックアップテーブルから決定してもよい。
【００７４】
RF回路1206の合成器回路1206dは、分周器、遅延ロックループ(DLL)、マルチプレクサ、及び位相アキュムレータを含んでもよい。いくつかの実施形態において、分周器は、複数係数分周器(dual  modulus  divider  (DMD))であってもよく、位相アキュムレータは、ディジタル位相アキュムレータ(DPA)であってもよい。いくつかの実施形態において、DMDは、(例えば、実行に基づいて)N又はN+1のいずれかによって入力信号を分周して、周波数分周比を実現するように構成されてもよい。いくつかの例示的な実施形態において、DLLは、複数の従属接続された同調可能な遅延要素、位相検出器、電荷ポンプ、及びD型フリップフロップのセットを含んでもよい。これらの実施形態において、それらの遅延要素は、VCOの周期を細分化して、Ndに等しいパケットの位相にするように構成されてもよく、Ndは、遅延線の中にある遅延要素の数である。この方法により、DLLは、遅延線を通った際の合計の遅延量がVCOの1サイクルとなることを保証するのに役立つように、負帰還を提供してもよい。
【００７５】
いくつかの実施形態において、合成器回路1206dは、出力周波数としてキャリア周波数を生成するように構成されてもよく、一方で、他の実施形態において、その出力周波数は、(例えば、キャリア周波数の2倍、キャリア周波数の4倍等の)キャリア周波数の倍数であってもよく、直角位相生成器及び分周器回路と関連して使用されて、互いに対して異なる複数の位相を有するとともに上記のキャリア周波数を有する複数の信号を生成してもよい。いくつかの実施形態において、その出力周波数は、L0周波数(fL0)であってもよい。いくつかの実施形態において、RF回路1206は、IQ極性変換器を含んでもよい。
【００７６】
フロントエンドモジュール(FEM)回路1208は、受信信号経路を含んでもよく、その受信信号経路は、1つ又は複数のアンテナ1210から受信したRF信号に作用し、その受信した信号を増幅し、さらなる処理のためにRF回路1206に受信した信号の増幅されたバージョンを提供するように構成される回路を含んでもよい。FEM回路1208は、また、送信信号経路を含んでもよく、その送信信号経路は、1つ又は複数のアンテナ1210のうちの1つ又は複数によって送信するために、RF回路1206によって提供された送信のための信号を増幅するように構成される回路を含んでもよい。
【００７７】
いくつかの実施形態において、FEM回路1208は、送信/受信スイッチを含んでもよく、送信/受信スイッチは、送信モード動作と受信モード動作との間でスイッチングをするように構成される。FEM回路1208は、受信信号経路及び送信信号経路を含んでいてもよい。FEM回路1208の受信信号経路は、低雑音増幅器(LNA)を含んでもよく、低雑音増幅器(LNA)は、受信したRF信号を増幅し、(例えば、RF回路1206に)出力として増幅された受信したRF信号を提供してもよい。FEM回路1208の送信信号経路は、電力増幅器(PA)及び1つ又は複数のフィルタを含んでもよく、電力増幅器(PA)は、(例えば、RF回路1206によって提供された)入力RF信号を増幅するように構成され、1つ又は複数のフィルタは、(例えば、1つ又は複数のアンテナ1210のうちの1つ又は複数によって)その後送信するために、RF信号を生成するように構成される。
【００７８】
いくつかの実施形態において、UEデバイス1200は、例えば、メモリ/記憶装置、ディスプレイ、カメラ、センサ、及び/又は入力/出力(I/O)インターフェイス等の追加の要素を含んでもよい。
【００７９】
図13は、1つの例にしたがった(例えば、eNB、基地局、アクセスポイント、及び/又はサービング汎用パケット無線サービス(GPRS)サポートノード等の)ノード1310及び(例えば、UE等の)無線デバイスのブロック図1300を図示している。ノードは、基地局(BS)、NodeB(NB)、進化型NodeB(eNB)、ベースバンドユニット(BBU)、リモート無線ヘッド(RRH)、リモート無線機器(RRE)、リモート無線ユニット(RRU)、又は中央処理モジュール(CPM)を含んでもよい。ノード1310は、ノードデバイス1312を含んでもよい。無線デバイス1320と通信するようにノードデバイス1312又はノード1310を構成してもよい。説明された技術を実装するようにノードデバイス1312を構成してもよい。ノードデバイス1312は、処理モジュール1314及びトランシーバーモジュール1316を含んでもよい。1つの態様において、ノードデバイス1312は、ノード1310のための回路1318を形成するトランシーバーモジュール1316及び処理モジュール1314を含んでもよい。1つの態様において、トランシーバーモジュール1316及び処理モジュール1314は、ノードデバイス1312の回路を形成してもよい。処理モジュール1314は、1つ又は複数のプロセッサ及びメモリを含んでもよい。1つの態様において、処理モジュール1322は、1つ又は複数のアプリケーションプロセッサを含んでもよい。トランシーバーモジュール1316は、トランシーバー、1つ又は複数のプロセッサ、及びメモリを含んでもよい。1つの実施形態において、トランシーバーモジュール1316は、ベースバンドプロセッサを含んでもよい。
【００８０】
無線デバイス1320は、トランシーバーモジュール1324及び処理モジュール1322を含んでもよい。処理モジュール1322は、1つ又は複数のプロセッサ及びメモリを含んでもよい。1つの実施形態において、処理モジュール1322は、1つ又は複数のアプリケーションプロセッサを含んでもよい。トランシーバーモジュール1324は、トランシーバー、1つ又は複数のプロセッサ、及びメモリを含んでもよい。1つの実施形態において、トランシーバーモジュール1324は、ベースバンドプロセッサを含んでもよい。説明された技術を実装するように無線デバイス1320を構成してもよい。ノード1310及び無線デバイス1320は、トランシーバーモジュール1316、1324及び/又は処理モジュール1314、1322の中に1つ又は複数の記憶媒体を含んでもよい。無線デバイス1320は、トランシーバーモジュール1324及び処理モジュール1312を含んでもよい。説明された技術を実装するように無線デバイス1320を構成してもよい。
【００８１】
例
【００８２】
以下の複数の例は、特定の技術の実施形態に関しており、特定の特徴、要素、又はステップを指し示し、これらの特定の特徴、要素、又はステップは、上記の複数の実施形態を実現する際に使用されてもよく、又はそうでない場合には、組み合わせられてもよい。
【００８３】
例1は、eNodeBの装置を含み、当該装置は、強化されたオーバーレイ符号分割多元接続(CDMA)を実行して、モバイルデバイスのためのアップリンク(UL)送信の容量を増加させるように動作可能であり、当該装置は、1つ又は複数のプロセッサ及びメモリを含み、前記1つ又は複数のプロセッサ及びメモリは、
スケジューリングインターバルにおいて複数のモバイルデバイスについてのチャネル品質条件を取得し、
前記複数のモバイルデバイスの各々について、チャネル品質、目標送信スキーム、及び送信電力レベルを識別し、
前記複数のモバイルデバイスの各々に一意の直交するCDMA符号を割り当て、
ULデータのK個の反復されたバーストを送信することを前記複数のモバイルデバイスに義務付け、前記K個の反復されたバーストの各々は、前記複数のモバイルデバイスの各々に割り当てられている前記一意の直交するCDMA符号に基づく回転させられた位相シフトを有し、Kは、前記複数のモバイルデバイスによって実行されるオーバーレイCDMA操作を有するように構成される前記複数のモバイルデバイスの数と等しいか又はより大きい正の整数であり、
前記K個の反復されたバーストを処理し、前記K個の反復されたバーストは、前記複数のモバイルデバイスから受信され、各々が、前記CDMAをオーバーレイするための同じ物理チャネルにおいて多重化されており、
前記一意の直交するCDMA符号にしたがって前記複数のモバイルデバイスを分離し、同相(I)及び直角位相(Q)(IQ)の累積を使用して、前記K個の反復されたバーストを組み合わせる、ように構成される。
【００８４】
例2は、例1の装置を含み、さらに、前記複数のモバイルデバイスを識別するように構成され、前記複数のモバイルデバイスは、前記オーバーレイCDMAの能力を有するとともに、あらかじめ規定された閾値を下回るチャネル品質条件を有するモバイルデバイスと比較して前記あらかじめ規定された閾値を上回るチャネル品質条件を有し、K個の反復されたバーストを送信することを義務付けられている前記複数のモバイルデバイスは、あらかじめ規定された閾値を下回るチャネル品質条件を有するモバイルデバイスと比較して前記あらかじめ規定された閾値を上回るチャネル品質条件を有する。
【００８５】
例3は、例1又は例2の装置を含み、さらに、前記あらかじめ規定された閾値を上回るチャネル品質条件を有する前記複数のモバイルデバイス及び拡張されたカバレッジのデバイスに義務付けるように構成される。
【００８６】
例4は、例1又は例2の装置を含み、さらに、前記あらかじめ規定された閾値を上回るチャネル品質条件を有する義務付けられたモバイルデバイス及び前記拡張されたカバレッジのデバイスによって送信された前記K個の反復されたバーストのマッチングを実行するように構成される。
【００８７】
例5は、例1又は例2の装置を含み、さらに、前記あらかじめ規定された閾値を上回るチャネル品質条件を有する前記複数のモバイルデバイスのうちの一部のみ及び拡張されたカバレッジのデバイスに、K個の反復されたバーストを送信することを義務付けるように構成される。
【００８８】
例6は、例1の装置を含み、さらに、前記あらかじめ規定された閾値を上回るチャネル品質条件を有する前記複数のモバイルデバイスのうちのあらかじめ規定された数のモバイルデバイス及び拡張されたカバレッジのデバイスに義務付けるように構成される。
【００８９】
例7は、例1又は例6の装置を含み、さらに、
前記k個の反復されたバーストの各々をバッファリングし、又は、
逐次干渉除去(SIC)スキームを行って、オーバーレイされたデバイスからの受信された信号を順番に処理する、ように構成される。
【００９０】
例8は、例1の装置を含み、さらに、一意の直交するCDMA符号を使用して、前記K個の反復されたバーストを送信することを義務付けられている前記複数のモバイルデバイス及び拡張された無線カバレッジのモバイルデバイスを、無線リソースの同じセットに同時に多重化する、ように構成される。
【００９１】
例9は、例1又は例8の装置を含み、さらに、前記K個の反復されたバーストを送信することを義務付けられている前記複数のモバイルデバイスのためにより高いアップリンク変調及び符号化スキーム(MCS)レベルを選択するように構成される。
【００９２】
例10は、例1の装置を含み、さらに、前記K個の反復されたバーストを送信することを義務付けられている前記複数のモバイルデバイスのために同じアップリンク変調及び符号化スキーム(MCS)レベルを選択し、送信電力の累積を使用して、前記UL送信の信頼性を増加させる、ように構成される。
【００９３】
例11は、例1又は例10の装置を含み、さらに、モバイルデバイスが最大の送信電力を使用しているとともに前記複数のモバイルデバイスから受信された前記K個の反復されたバーストを処理する、ように構成される。
【００９４】
例12は、例1の装置を含み、さらに、減少した送信電力を使用しているとともに前記複数のモバイルデバイスから受信された前記K個の反復されたバーストを処理する、ように構成される。
【００９５】
例13は、例1又は例12の装置を含み、さらに、逐次干渉除去(SIC)スキームを使用して、前記K個の反復されたバーストの信号強度にしたがって、前記受信されたK個の反復されたバーストを順番に処理する、ように構成される。
【００９６】
例14は、例1の装置を含み、Kは、前記K個の反復されたバーストについて、2、4、8、又は16、或いは、システムにおける複数の盲目的な反復の最大数に基づく1よりも大きい正の整数のうちの1つである。
【００９７】
例15は、モバイルデバイスの装置を含み、当該装置は、強化されたオーバーレイ符号分割多元接続(CDMA)を実行して、アップリンク(UL)送信の容量を増加させるように動作可能であり、当該装置は、1つ又は複数のプロセッサ及びメモリを含み、前記1つ又は複数のプロセッサ及びメモリは、
eNodeBから受信した一意の直交するCDMA符号を処理し、前記一意の直交するCDMA符号は、前記モバイルデバイスに割り当てられ、
ULデータのK個の反復されたバーストを繰り返し送信し、前記K個の反復されたバーストは、前記一意の直交するCDMA符号に基づく位相シフトだけ回転させられており、
前記CDMAをオーバーレイするための同じ物理チャネルに、別のモバイルデバイスの他のUL送信と前記モバイルデバイスの前記K個の反復されたバーストの各々とを多重化し、Kは、前記モバイルデバイスによって実行されるオーバーレイCDMA操作を有するように構成される複数のモバイルデバイスの数と等しいか又はより大きい正の整数であり、前記一意の直交するCDMA符号にしたがって前記複数の複数のモバイルデバイスを分離し、同相(I)及び直角位相(Q)(IQ)の累積を使用して、前記K個の反復されたバーストを組み合わせ、前記複数のモバイルデバイスの複数の信号は、前記一意の直交するCDMA符号にしたがってeNodeBにおいて分離されてもよく、IQの累積を使用して前記K個の反復されたバーストを組み合わせる、ように構成される。
【００９８】
例16は、例15の装置を含み、ULデータのK個の反復されたバーストを繰り返し送信する前記モバイルデバイスは、前記オーバーレイCDMAの能力を有しているとともに、より低い効率のチャネル品質条件を有する他のモバイルデバイスと比較してより高い効率のチャネル品質条件を有し、前記モバイルデバイスは、K個の反復されたバーストを送信することを前記eNodeBによって義務付けられる。
【００９９】
例17は、例16の装置を含み、前記オーバーレイCDMAの能力を有しているとともにより低い効率のチャネル品質条件を有する他のモバイルデバイスと比較してより高い効率のチャネル品質条件を有し、ULデータのK個の反復されたバーストを繰り返し送信する前記モバイルデバイス及び拡張されたカバレッジのデバイスの双方は、ULデータのK個の反復されたバーストを送信し、前記K個の反復されたバーストは、前記一意の直交するCDMA符号に基づく位相シフトだけ回転させられている。
【０１００】
例18は、例15又は例17の装置を含み、さらに、前記K個の反復されたバーストの各々をバッファリングするように構成される。
【０１０１】
例19は、例15の装置を含み、さらに、一意の直交するCDMA符号を使用して、前記K個の反復されたバーストを送信することを義務付けられている前記複数のモバイルデバイス及び拡張された無線カバレッジのモバイルデバイスを、無線リソースの同じセットに同時に多重化する、ように構成される。
【０１０２】
例20は、例15又は例19の装置を含み、さらに、送信のために、より高いアップリンク変調及び符号化スキーム(MCS)レベルを使用して前記K個の反復されたバーストを処理する、ように構成される。
【０１０３】
例21は、例15の装置を含み、さらに、送信のために、同じアップリンク変調及び符号化スキーム(MCS)レベルを使用して前記K個の反復されたバーストを処理する、ように構成される。
【０１０４】
例22は、例15又は例21の装置を含み、さらに、送信のために、最大の送信電力を使用して前記K個の反復されたバーストを処理する、ように構成される。
【０１０５】
例23は、例15の装置を含み、さらに、送信のために、減少した送信電力を使用して前記K個の反復されたバーストを処理する、ように構成される。
【０１０６】
例24は、例15又は例22の装置を含み、Kは、前記K個の反復されたバーストについて、2、4、8、又は16、或いは、システムにおける複数の盲目的な反復の最大数に基づく1よりも大きい正の整数のうちの1つである。
【０１０７】
例25は、例15の装置を含み、さらに、前記eNodeBにチャネル品質条件、目標送信スキーム、及び送信電力レベルをフィードバックするように構成される。
【０１０８】
例26は、例15の装置を含み、当該装置は、アンテナ、タッチセンサー式のディスプレイスクリーン、スピーカ、マイクロフォン、グラフィックスプロセッサ、アプリケーションプロセッサ、内部メモリ、不揮発性メモリポート、ベースバンドプロセッサ、及びそれらの組み合わせのうちの少なくとも1つを含む。
【０１０９】
例27は、複数の命令を有する少なくとも1つの機械読み取り可能な記憶媒体を含み、前記複数の命令は、前記機械読み取り可能な記憶媒体に具現化され、強化されたオーバーレイ符号分割多元接続(CDMA)を実行して、モバイルデバイスとのアップリンク(UL)送信容量を増加させ、前記複数の命令は、1つ又は複数のプロセッサ及びメモリによって実行されると、
複数のモバイルデバイスの各々について、チャネル品質、目標送信スキーム、及び送信電力レベルを識別することと、
前記複数のモバイルデバイスの各々に一意の直交するCDMA符号を割り当てることと、
ULデータのK個の反復されたバーストを送信することを前記複数のモバイルデバイスに義務付けることであって、前記K個の反復されたバーストの各々は、前記複数のモバイルデバイスの各々に割り当てられている前記一意の直交するCDMA符号に基づく回転させられた位相シフトを有し、前記複数のモバイルデバイスの各々は、前記複数のモバイルデバイスの複数の送信された信号をオーバーレイするための同じ物理チャネルに多重化され、Kは、前記複数のモバイルデバイスによって実行されるオーバーレイCDMA操作を有するように構成される前記複数のモバイルデバイスの数と等しいか又はより大きい正の整数である、ことと、
前記複数のモバイルデバイスから受信した前記K個の反復されたバーストを処理することと、
前記一意の直交するCDMA符号にしたがって前記複数のモバイルデバイスの複数の信号を分離し、同相(I)及び直角位相(Q)(IQ)の累積を使用して、前記K個の反復されたバーストを組み合わせることと、を実行する。
【０１１０】
例28は、例27の少なくとも1つの機械読み取り可能な記憶媒体を含み、当該少なくとも1つの機械読み取り可能な記憶媒体は、複数の命令をさらに含み、前記複数の命令は、前記1つ又は複数のプロセッサ及びメモリによって実行されると、
スケジューリングインターバルにおいて複数のモバイルデバイスについてのチャネル品質条件を取得することと、
前記複数のモバイルデバイスを識別することであって、前記複数のモバイルデバイスは、前記オーバーレイCDMAの能力を有するとともに、より低い効率のチャネル品質条件を有するモバイルデバイスと比較してより高い効率のチャネル品質条件を有し、K個の反復されたバーストを送信することを義務付けられている前記複数のモバイルデバイスは、より低い効率のチャネル品質条件を有するモバイルデバイスと比較して前記より高い効率のチャネル品質条件を有する、ことと、を実行する。
【０１１１】
例29は、例27又は例28の少なくとも1つの機械読み取り可能な記憶媒体を含み、当該少なくとも1つの機械読み取り可能な記憶媒体は、複数の命令をさらに含み、前記複数の命令は、前記1つ又は複数のプロセッサ及びメモリによって実行されると、より低い効率のチャネル品質条件を有する前記モバイルデバイスと比較して前記より高い効率のチャネル品質条件を有する前記複数のモバイルデバイス及び拡張されたカバレッジのデバイスに、K個の反復されたバーストを送信することを義務付けることを実行し、Kは、前記K個の反復されたバーストについて、2、4、8、又は16、或いは、1よりも大きい正の整数のうちの1つである。
【０１１２】
例30は、eNodeBの装置を含み、当該装置は、強化されたオーバーレイ符号分割多元接続(CDMA)を実行して、モバイルデバイスのためのアップリンク(UL)送信の容量を増加させるように動作可能であり、当該装置は、1つ又は複数のプロセッサ及びメモリを含み、前記1つ又は複数のプロセッサ及びメモリは、
スケジューリングインターバルにおいて複数のモバイルデバイスについてのチャネル品質条件を取得し、
前記複数のモバイルデバイスの各々について、チャネル品質、目標送信スキーム、及び送信電力レベルを識別し、
前記複数のモバイルデバイスの各々に一意の直交するCDMA符号を割り当て、
ULデータのK個の反復されたバーストを送信することを前記複数のモバイルデバイスに義務付け、前記K個の反復されたバーストの各々は、前記複数のモバイルデバイスの各々に割り当てられている前記一意の直交するCDMA符号に基づく回転させられた位相シフトを有し、Kは、前記複数のモバイルデバイスによって実行されるオーバーレイCDMA操作を有するように構成される前記複数のモバイルデバイスの数と等しいか又はより大きい正の整数であり、
前記K個の反復されたバーストを処理し、前記K個の反復されたバーストは、前記複数のモバイルデバイスから受信され、各々が、前記CDMAをオーバーレイするための同じ物理チャネルにおいて多重化されており、
前記一意の直交するCDMA符号にしたがって前記複数のモバイルデバイスを分離し、同相(I)及び直角位相(Q)(IQ)の累積を使用して、前記K個の反復されたバーストを組み合わせる、ように構成される。
【０１１３】
例31は、例30の装置を含み、さらに、前記複数のモバイルデバイスを識別するように構成され、前記複数のモバイルデバイスは、前記オーバーレイCDMAの能力を有するとともに、あらかじめ規定された閾値を下回るチャネル品質条件を有するモバイルデバイスと比較して前記あらかじめ規定された閾値を上回るチャネル品質条件を有し、K個の反復されたバーストを送信することを義務付けられている前記複数のモバイルデバイスは、あらかじめ規定された閾値を下回るチャネル品質条件を有する前記モバイルデバイスと比較して前記あらかじめ規定された閾値を上回るチャネル品質条件を有する。
【０１１４】
例32は、例31の装置を含み、さらに、前記あらかじめ規定された閾値を上回るチャネル品質条件を有する前記複数のモバイルデバイス及び拡張されたカバレッジのデバイスに義務付けるように構成される。
【０１１５】
例33は、例31の装置を含み、さらに、前記あらかじめ規定された閾値を上回るチャネル品質条件を有する義務付けられたモバイルデバイス及び前記拡張されたカバレッジのデバイスによって送信された前記K個の反復されたバーストのマッチングを実行するように構成される。
【０１１６】
例34は、例31の装置を含み、さらに、前記あらかじめ規定された閾値を上回るチャネル品質条件を有する前記複数のモバイルデバイスのうちの一部のみ及び拡張されたカバレッジのデバイスに、K個の反復されたバーストを送信することを義務付けるように構成される。
【０１１７】
例35は、例30の装置を含み、さらに、前記あらかじめ規定された閾値を上回るチャネル品質条件を有する前記複数のモバイルデバイスのうちのあらかじめ規定された数のモバイルデバイス及び拡張されたカバレッジのデバイスに義務付けるように構成される。
【０１１８】
例36は、例30の装置を含み、さらに、
前記k個の反復されたバーストの各々をバッファリングし、又は、
逐次干渉除去(SIC)スキームを行って、オーバーレイされたデバイスからの受信された信号を順番に処理する、ように構成される。
【０１１９】
例37は、例30の装置を含み、さらに、一意の直交するCDMA符号を使用して、前記K個の反復されたバーストを送信することを義務付けられている前記複数のモバイルデバイス及び拡張された無線カバレッジのモバイルデバイスを、無線リソースの同じセットに同時に多重化する、ように構成される。
【０１２０】
例38は、例30の装置を含み、さらに、前記K個の反復されたバーストを送信することを義務付けられている前記複数のモバイルデバイスのためにより高いアップリンク変調及び符号化スキーム(MCS)レベルを選択するように構成される。
【０１２１】
例39は、例30の装置を含み、さらに、前記K個の反復されたバーストを送信することを義務付けられている前記複数のモバイルデバイスのために同じアップリンク変調及び符号化スキーム(MCS)レベルを選択し、送信電力の累積を使用して、前記UL送信の信頼性を増加させる、ように構成される。
【０１２２】
例40は、例30の装置を含み、さらに、モバイルデバイスが最大の送信電力を使用しているとともに前記複数のモバイルデバイスから受信された前記K個の反復されたバーストを処理する、ように構成される。
【０１２３】
例41は、例30の装置を含み、さらに、減少した送信電力を使用しているとともに前記複数のモバイルデバイスから受信された前記K個の反復されたバーストを処理する、ように構成される。
【０１２４】
例42は、例30の装置を含み、さらに、逐次干渉除去(SIC)スキームを使用して、前記K個の反復されたバーストの信号強度にしたがって、前記受信されたK個の反復されたバーストを順番に処理する、ように構成される。
【０１２５】
例43は、例30の装置を含み、Kは、前記K個の反復されたバーストについて、2、4、8、又は16、或いは、システムにおける複数の盲目的な反復の最大数に基づく1よりも大きい正の整数のうちの1つである。
【０１２６】
例44は、モバイルデバイスの装置を含み、当該装置は、強化されたオーバーレイ符号分割多元接続(CDMA)を実行して、アップリンク(UL)送信の容量を増加させるように動作可能であり、当該装置は、1つ又は複数のプロセッサ及びメモリを含み、前記1つ又は複数のプロセッサ及びメモリは、
eNodeBから受信した一意の直交するCDMA符号を処理し、前記一意の直交するCDMA符号は、前記モバイルデバイスに割り当てられ、
ULデータのK個の反復されたバーストを繰り返し送信し、前記K個の反復されたバーストは、前記一意の直交するCDMA符号に基づく位相シフトだけ回転させられており、
前記CDMAをオーバーレイするための同じ物理チャネルに、別のモバイルデバイスの他のUL送信と前記モバイルデバイスの前記K個の反復されたバーストの各々とを多重化し、Kは、前記モバイルデバイスによって実行されるオーバーレイCDMA操作を有するように構成される複数のモバイルデバイスの数と等しいか又はより大きい正の整数であり、前記一意の直交するCDMA符号にしたがって前記複数の複数のモバイルデバイスを分離し、同相(I)及び直角位相(Q)(IQ)の累積を使用して、前記K個の反復されたバーストを組み合わせ、前記複数のモバイルデバイスの複数の信号は、前記一意の直交するCDMA符号にしたがってeNodeBにおいて分離されてもよく、IQの累積を使用して前記K個の反復されたバーストを組み合わせる、ように構成される。
【０１２７】
例45は、例44の装置を含み、ULデータのK個の反復されたバーストを繰り返し送信する前記モバイルデバイスは、前記オーバーレイCDMAの能力を有しているとともに、より低い効率のチャネル品質条件を有する他のモバイルデバイスと比較してより高い効率のチャネル品質条件を有し、前記モバイルデバイスは、K個の反復されたバーストを送信することを前記eNodeBによって義務付けられる。
【０１２８】
例46は、例45の装置を含み、前記オーバーレイCDMAの能力を有しているとともにより低い効率のチャネル品質条件を有する他のモバイルデバイスと比較してより高い効率のチャネル品質条件を有し、ULデータのK個の反復されたバーストを繰り返し送信する前記モバイルデバイス及び拡張されたカバレッジのデバイスの双方は、ULデータのK個の反復されたバーストを送信し、前記K個の反復されたバーストは、前記一意の直交するCDMA符号に基づく位相シフトだけ回転させられている。
【０１２９】
例47は、例44の装置を含み、さらに、前記K個の反復されたバーストの各々をバッファリングするように構成される。
【０１３０】
例48は、例44の装置を含み、さらに、一意の直交するCDMA符号を使用して、前記K個の反復されたバーストを送信することを義務付けられている前記複数のモバイルデバイス及び拡張された無線カバレッジのモバイルデバイスを、無線リソースの同じセットに同時に多重化する、ように構成される。
【０１３１】
例49は、例44の装置を含み、さらに、送信のために、より高いアップリンク変調及び符号化スキーム(MCS)レベルを使用して前記K個の反復されたバーストを処理する、ように構成される。
【０１３２】
例50は、例44の装置を含み、さらに、送信のために、同じアップリンク変調及び符号化スキーム(MCS)レベルを使用して前記K個の反復されたバーストを処理する、ように構成される。
【０１３３】
例51は、例44の装置を含み、さらに、送信のために、最大の送信電力を使用して前記K個の反復されたバーストを処理する、ように構成される。
【０１３４】
例52は、例44の装置を含み、さらに、送信のために、減少した送信電力を使用して前記K個の反復されたバーストを処理する、ように構成される。
【０１３５】
例53は、例44の装置を含み、Kは、前記K個の反復されたバーストについて、2、4、8、又は16、或いは、システムにおける複数の盲目的な反復の最大数に基づく1よりも大きい正の整数のうちの1つである。
【０１３６】
例54は、例44の装置を含み、さらに、前記eNodeBにチャネル品質条件、目標送信スキーム、及び送信電力レベルをフィードバックするように構成される。
【０１３７】
例55は、例44の装置を含み、当該装置は、アンテナ、タッチセンサー式のディスプレイスクリーン、スピーカ、マイクロフォン、グラフィックスプロセッサ、アプリケーションプロセッサ、内部メモリ、不揮発性メモリポート、ベースバンドプロセッサ、及びそれらの組み合わせのうちの少なくとも1つを含む。
【０１３８】
例56は、複数の命令を有する1つ又は複数の一時的又は非一時的機械読み取り可能な記憶媒体を含み、前記複数の命令は、前記機械読み取り可能な記憶媒体に具現化され、強化されたオーバーレイ符号分割多元接続(CDMA)を実行して、モバイルデバイスとのアップリンク(UL)送信容量を増加させ、前記複数の命令は、1つ又は複数のプロセッサ及びメモリによって実行されると、
複数のモバイルデバイスの各々について、チャネル品質、目標送信スキーム、及び送信電力レベルを識別することと、
前記複数のモバイルデバイスの各々に一意の直交するCDMA符号を割り当てることと、
ULデータのK個の反復されたバーストを送信することを前記複数のモバイルデバイスに義務付けることであって、前記K個の反復されたバーストの各々は、前記複数のモバイルデバイスの各々に割り当てられている前記一意の直交するCDMA符号に基づく回転させられた位相シフトを有し、前記複数のモバイルデバイスの各々は、前記複数のモバイルデバイスの複数の送信された信号をオーバーレイするための同じ物理チャネルに多重化され、Kは、前記複数のモバイルデバイスによって実行されるオーバーレイCDMA操作を有するように構成される前記複数のモバイルデバイスの数と等しいか又はより大きい正の整数である、ことと、
前記複数のモバイルデバイスから受信した前記K個の反復されたバーストを処理することと、
前記一意の直交するCDMA符号にしたがって前記複数のモバイルデバイスの複数の信号を分離し、同相(I)及び直角位相(Q)(IQ)の累積を使用して、前記K個の反復されたバーストを組み合わせることと、を実行する。
【０１３９】
例57は、例56の1つ又は複数の一時的又は非一時的機械読み取り可能な記憶媒体を含み、当該1つ又は複数の一時的又は非一時的機械読み取り可能な記憶媒体は、複数の命令をさらに含み、前記複数の命令は、前記1つ又は複数のプロセッサ及びメモリによって実行されると、
スケジューリングインターバルにおいて複数のモバイルデバイスについてのチャネル品質条件を取得することと、
前記複数のモバイルデバイスを識別することであって、前記複数のモバイルデバイスは、前記オーバーレイCDMAの能力を有するとともに、より低い効率のチャネル品質条件を有するモバイルデバイスと比較してより高い効率のチャネル品質条件を有し、K個の反復されたバーストを送信することを義務付けられている前記複数のモバイルデバイスは、より低い効率のチャネル品質条件を有するモバイルデバイスと比較して前記より高い効率のチャネル品質条件を有する、ことと、を実行する。
【０１４０】
例58は、例57の1つ又は複数の一時的又は非一時的機械読み取り可能な記憶媒体を含み、当該1つ又は複数の一時的又は非一時的機械読み取り可能な記憶媒体は、複数の命令をさらに含み、前記複数の命令は、前記1つ又は複数のプロセッサ及びメモリによって実行されると、より低い効率のチャネル品質条件を有する前記モバイルデバイスと比較して前記より高い効率のチャネル品質条件を有する前記複数のモバイルデバイス及び拡張されたカバレッジのデバイスに、K個の反復されたバーストを送信することを義務付けることを実行し、Kは、前記K個の反復されたバーストについて、2、4、8、又は16、或いは、1よりも大きい正の整数のうちの1つである。
【０１４１】
例59は、eNodeBの装置を含み、当該装置は、強化されたオーバーレイ符号分割多元接続(CDMA)を実行して、モバイルデバイスのためのアップリンク(UL)送信の容量を増加させるように動作可能であり、当該装置は、1つ又は複数のプロセッサ及びメモリを含み、前記1つ又は複数のプロセッサ及びメモリは、
スケジューリングインターバルにおいて複数のモバイルデバイスについてのチャネル品質条件を取得し、
前記複数のモバイルデバイスの各々について、チャネル品質、目標送信スキーム、及び送信電力レベルを識別し、
前記複数のモバイルデバイスの各々に一意の直交するCDMA符号を割り当て、
ULデータのK個の反復されたバーストを送信することを前記複数のモバイルデバイスに義務付け、前記K個の反復されたバーストの各々は、前記複数のモバイルデバイスの各々に割り当てられている前記一意の直交するCDMA符号に基づく回転させられた位相シフトを有し、Kは、前記複数のモバイルデバイスによって実行されるオーバーレイCDMA操作を有するように構成される前記複数のモバイルデバイスの数と等しいか又はより大きい正の整数であり、
前記K個の反復されたバーストを処理し、前記K個の反復されたバーストは、前記複数のモバイルデバイスから受信され、各々が、前記CDMAをオーバーレイするための同じ物理チャネルにおいて多重化されており、
前記一意の直交するCDMA符号にしたがって前記複数のモバイルデバイスを分離し、同相(I)及び直角位相(Q)(IQ)の累積を使用して、前記K個の反復されたバーストを組み合わせる、ように構成される。
【０１４２】
例60は、例59の装置を含み、当該装置は、さらに、
前記複数のモバイルデバイスを識別し、前記複数のモバイルデバイスは、前記オーバーレイCDMAの能力を有するとともに、あらかじめ規定された閾値を下回るチャネル品質条件を有するモバイルデバイスと比較して前記あらかじめ規定された閾値を上回るチャネル品質条件を有し、K個の反復されたバーストを送信することを義務付けられている前記複数のモバイルデバイスは、あらかじめ規定された閾値を下回るチャネル品質条件を有する前記モバイルデバイスと比較して前記あらかじめ規定された閾値を上回るチャネル品質条件を有し、
前記あらかじめ規定された閾値を上回るチャネル品質条件を有する前記複数のモバイルデバイス及び拡張されたカバレッジのデバイスに義務付け、
前記あらかじめ規定された閾値を上回るチャネル品質条件を有する義務付けられたモバイルデバイス及び前記拡張されたカバレッジのデバイスによって送信された前記K個の反復されたバーストのマッチングを実行し、
前記あらかじめ規定された閾値を上回るチャネル品質条件を有する前記複数のモバイルデバイスのうちの一部のみ及び拡張されたカバレッジのデバイスに、K個の反復されたバーストを送信することを義務付け、又は、
前記あらかじめ規定された閾値を上回るチャネル品質条件を有する前記複数のモバイルデバイスのうちのあらかじめ規定された数のモバイルデバイス及び拡張されたカバレッジのデバイスに義務付ける、ように構成される。
【０１４３】
例61は、例59又は60の装置を含み、さらに、
前記k個の反復されたバーストの各々をバッファリングし、
逐次干渉除去(SIC)スキームを行って、オーバーレイされたデバイスからの受信された信号を順番に処理し、
一意の直交するCDMA符号を使用して、前記K個の反復されたバーストを送信することを義務付けられている前記複数のモバイルデバイス及び拡張された無線カバレッジのモバイルデバイスを、無線リソースの同じセットに同時に多重化し、
前記K個の反復されたバーストを送信することを義務付けられている前記複数のモバイルデバイスのためにより高いアップリンク変調及び符号化スキーム(MCS)レベルを選択し、又は、
前記K個の反復されたバーストを送信することを義務付けられている前記複数のモバイルデバイスのために同じアップリンク変調及び符号化スキーム(MCS)レベルを選択し、送信電力の累積を使用して、前記UL送信の信頼性を増加させる、ように構成される。
【０１４４】
例62において、例59又は本明細書において説明された例のいずれかの主題は、さらに、
モバイルデバイスが最大の送信電力を使用しているとともに前記複数のモバイルデバイスから受信された前記K個の反復されたバーストを処理し、
減少した送信電力を使用しているとともに前記複数のモバイルデバイスから受信された前記K個の反復されたバーストを処理し、又は、
逐次干渉除去(SIC)スキームを使用して、前記K個の反復されたバーストの信号強度にしたがって、前記受信されたK個の反復されたバーストを順番に処理する、ように構成される。
【０１４５】
例63において、例59又は本明細書において説明された例のいずれかの主題は、Kは、前記K個の反復されたバーストについて、2、4、8、又は16、或いは、システムにおける複数の盲目的な反復の最大数に基づく1よりも大きい正の整数のうちの1つであることを含んでもよい。
【０１４６】
例64は、モバイルデバイスの装置を含み、当該装置は、強化されたオーバーレイ符号分割多元接続(CDMA)を実行して、アップリンク(UL)送信の容量を増加させるように動作可能であり、当該装置は、1つ又は複数のプロセッサ及びメモリを含み、前記1つ又は複数のプロセッサ及びメモリは、
eNodeBから受信した一意の直交するCDMA符号を処理し、前記一意の直交するCDMA符号は、前記モバイルデバイスに割り当てられ、
ULデータのK個の反復されたバーストを繰り返し送信し、前記K個の反復されたバーストは、前記一意の直交するCDMA符号に基づく位相シフトだけ回転させられており、
前記CDMAをオーバーレイするための同じ物理チャネルに、別のモバイルデバイスの他のUL送信と前記モバイルデバイスの前記K個の反復されたバーストの各々とを多重化し、Kは、前記モバイルデバイスによって実行されるオーバーレイCDMA操作を有するように構成される複数のモバイルデバイスの数と等しいか又はより大きい正の整数であり、前記一意の直交するCDMA符号にしたがって前記複数の複数のモバイルデバイスを分離し、同相(I)及び直角位相(Q)(IQ)の累積を使用して、前記K個の反復されたバーストを組み合わせ、前記複数のモバイルデバイスの複数の信号は、前記一意の直交するCDMA符号にしたがってeNodeBにおいて分離されてもよく、IQの累積を使用して前記K個の反復されたバーストを組み合わせる、ように構成される。
【０１４７】
例65は、例64の装置を含み、ULデータのK個の反復されたバーストを繰り返し送信する前記モバイルデバイスは、前記オーバーレイCDMAの能力を有しているとともに、より低い効率のチャネル品質条件を有する他のモバイルデバイスと比較してより高い効率のチャネル品質条件を有し、前記モバイルデバイスは、K個の反復されたバーストを送信することを前記eNodeBによって義務付けられる。
【０１４８】
例66は、例65の装置を含み、前記オーバーレイCDMAの能力を有しているとともにより低い効率のチャネル品質条件を有する他のモバイルデバイスと比較してより高い効率のチャネル品質条件を有し、ULデータのK個の反復されたバーストを繰り返し送信する前記モバイルデバイス及び拡張されたカバレッジのデバイスの双方は、ULデータのK個の反復されたバーストを送信し、前記K個の反復されたバーストは、前記一意の直交するCDMA符号に基づく位相シフトだけ回転させられている。
【０１４９】
例67は、例64乃至例66の装置を含み、さらに、
前記K個の反復されたバーストの各々をバッファリングし、
一意の直交するCDMA符号を使用して、前記K個の反復されたバーストを送信することを義務付けられている前記複数のモバイルデバイス及び拡張された無線カバレッジのモバイルデバイスを、無線リソースの同じセットに同時に多重化する、ように構成される。
【０１５０】
例68において、例64又は本明細書において説明された例のいずれかの主題は、さらに、送信のために、より高いアップリンク変調及び符号化スキーム(MCS)レベルを使用して前記K個の反復されたバーストを処理する、ように構成されてもよい。
【０１５１】
例69において、例64又は本明細書において説明された例のいずれかの主題は、さらに、送信のために、同じアップリンク変調及び符号化スキーム(MCS)レベルを使用して前記K個の反復されたバーストを処理する、ように構成されてもよい。
【０１５２】
例70において、例64又は本明細書において説明された例のいずれかの主題は、さらに、送信のために、最大の送信電力を使用するか又は減少した送信電力を使用して前記K個の反復されたバーストを処理する、ように構成されてもよい。
【０１５３】
例71において、例64又は本明細書において説明された例のいずれかの主題は、Kが、前記K個の反復されたバーストについて、2、4、8、又は16、或いは、システムにおける複数の盲目的な反復の最大数に基づく1よりも大きい正の整数のうちの1つであることをさらに含んでもよい。
【０１５４】
例72において、例64又は本明細書において説明された例のいずれかの主題は、さらに、前記eNodeBにチャネル品質条件、目標送信スキーム、及び送信電力レベルをフィードバックするように構成されてもよい。
【０１５５】
例73において、例64又は本明細書において説明された例のいずれかの主題は、当該装置が、アンテナ、タッチセンサー式のディスプレイスクリーン、スピーカ、マイクロフォン、グラフィックスプロセッサ、アプリケーションプロセッサ、内部メモリ、不揮発性メモリポート、ベースバンドプロセッサ、及びそれらの組み合わせのうちの少なくとも1つを含むことを含んでもよい。
【０１５６】
例74は、強化されたオーバーレイ符号分割多元接続(CDMA)を実行して、アップリンク(UL)送信容量を増加させるデバイスを含み、当該デバイスは、
複数のモバイルデバイスの各々について、チャネル品質、目標送信スキーム、及び送信電力レベルを識別する手段と、
前記複数のモバイルデバイスの各々に一意の直交するCDMA符号を割り当てる手段と、
ULデータのK個の反復されたバーストを送信することを前記複数のモバイルデバイスに義務付ける手段であって、前記K個の反復されたバーストの各々は、前記複数のモバイルデバイスの各々に割り当てられている前記一意の直交するCDMA符号に基づく回転させられた位相シフトを有し、前記複数のモバイルデバイスの各々は、前記複数のモバイルデバイスの複数の送信された信号をオーバーレイするための同じ物理チャネルに多重化され、Kは、前記複数のモバイルデバイスによって実行されるオーバーレイCDMA操作を有するように構成される前記複数のモバイルデバイスの数と等しいか又はより大きい正の整数である、手段と、
前記複数のモバイルデバイスから受信した前記K個の反復されたバーストを処理する手段と、
前記一意の直交するCDMA符号にしたがって前記複数のモバイルデバイスの複数の信号を分離し、同相(I)及び直角位相(Q)(IQ)の累積を使用して、前記K個の反復されたバーストを組み合わせる手段と、を含む。
【０１５７】
例75は、例74のデバイスを含み、当該デバイスは、
スケジューリングインターバルにおいて複数のモバイルデバイスについてのチャネル品質条件を取得する手段と、
前記複数のモバイルデバイスを識別する手段であって、前記複数のモバイルデバイスは、前記オーバーレイCDMAの能力を有するとともに、より低い効率のチャネル品質条件を有するモバイルデバイスと比較してより高い効率のチャネル品質条件を有し、K個の反復されたバーストを送信することを義務付けられている前記複数のモバイルデバイスは、より低い効率のチャネル品質条件を有するモバイルデバイスと比較して前記より高い効率のチャネル品質条件を有する、手段と、をさらに含む。
【０１５８】
例76は、例75の装置を含み、当該デバイスは、
より低い効率のチャネル品質条件を有する前記モバイルデバイスと比較して前記より高い効率のチャネル品質条件を有する前記複数のモバイルデバイス及び拡張されたカバレッジのデバイスに、K個の反復されたバーストを送信することを義務付ける手段をさらに含み、Kは、前記K個の反復されたバーストについて、2、4、8、又は16、或いは、1よりも大きい正の整数のうちの1つである。
【０１５９】
さまざまな技術、或いは、それらの技術の複数の態様又は部分は、フロッピーディスク、コンパクトディスク読み出し専用メモリ(CD-ROM)、ハードドライブ、非一時的なコンピュータ読み取り可能な記憶媒体、又はいずれかの他の機械読み取り可能な記憶媒体等の有体的な媒体の中に具現化されるプログラムコード(すなわち、複数の命令)の形態をとってもよく、そのプログラムコードがコンピュータ等の機械にロードされ、その機械によって実行されると、その機械は、さまざまな技術を実行するための装置となる。非一時的なコンピュータ読み取り可能な記憶媒体は、信号を含まないコンピュータ読み取り可能な記憶媒体であってもよい。プログラム可能なコンピュータによってプログラムコードを実行する場合に、コンピューティングデバイスは、プロセッサ、そのプロセッサによって読み取り可能な(揮発性メモリ及び不揮発性メモリ及び/又は記憶素子を含む)記憶媒体、少なくとも1つの入力デバイス、及び少なくとも1つの出力デバイスを含んでもよい。揮発性メモリ及び不揮発性メモリ及び/又は記憶素子は、ランダムアクセスメモリ(RAM)、消去可能かつプログラム可能な読み出し専用メモリ(EPROM)、フラッシュドライブ、光ドライブ、磁気ハードドライブ、ソリッドステイトドライブ、又は電子データを格納するための他の媒体であってもよい。ノード及び無線デバイスは、トランシーバーモジュール(すなわち、トランシーバー)、カウンタモジュール(すなわち、カウンタ)、処理モジュール(すなわち、プロセッサ)、及び/又はクロックモジュール(すなわち、クロック)、又はタイマモジュール(すなわち、タイマ)を含んでもよい。本明細書において説明されるさまざまな技術を実装し又は利用することが可能である1つ又は複数のプログラムは、アプリケーションプログラミングインターフェイス(API)、再利用可能な制御等を使用してもよい。ハイレベル手続き型プログラミング言語又はオブジェクト指向のプログラミング言語によって上記のプログラムを実装して、コンピュータシステムと通信してもよい。一方で、要求に応じて、アセンブリ言語又は機械語によって1つ又は複数のプログラムを実装してもよい。いずれかの場合において、そのような言語は、コンパイルされた言語又は解釈された言語であってもよく、ハードウェアの実装と組み合わせられてもよい。
【０１６０】
本明細書において使用されているように、"回路"の語は、1つ又は複数のソフトウェアプログラム又はファームウェアプログラムを実行する特定用途向け集積回路(ASIC)、電子回路、(共有プロセッサ、専用プロセッサ、又はグループプロセッサ等の)プロセッサ、及び/又は(共有メモリ、専用メモリ、又はグループメモリ等の)メモリ、組合せ論理回路、及び/又は他の適切なハードウェア構成要素を指してもよく、これらのハードウェア構成要素の一部であってもよく、又はこれらのハードウェア構成要素を含んでいてもよく、これらのハードウェア構成要素は、要求される機能を提供する。いくつかの実施形態において、回路は、1つ又は複数のソフトウェアモジュール又はファームウェアモジュールの中で実装されてもよく、又は、その回路と関連する機能は、1つ又は複数のソフトウェアモジュール又はファームウェアモジュールによって実装されてもよい。いくつかの態様においては、回路は、少なくともその一部分がハードウェアの中で動作可能なロジックを含んでもよい。
【０１６１】
本明細書で説明された機能的ユニットの多くは、それらの実装の独立性をより具体的に強調するために、複数のモジュールとして分類されてきたということを理解すべきである。例えば、特別注文の超大規模集積(VLSI)回路又はゲートアレイ、ロジックチップ、トランジスタ、又は他の個別の構成要素等の既成の半導体を含むハードウェア回路として、モジュールを実装してもよい。また、フィールドプログラマブルゲートアレイ、プログラマブルアレイロジック、又はプログラマブルロジックデバイス等のプログラマブルハードウェアデバイスによってモジュールを実装してもよい。
【０１６２】
さまざまなタイプのプロセッサによる実行のために、ソフトウェアによってモジュールを実装してもよい。実行可能なコードの識別されたモジュールは、例えば、複数のコンピュータ命令の1つ又は複数の物理的なブロック又は論理的なブロックを含んでもよく、それらの物理的なブロック又は論理的なブロックは、例えば、オブジェクト、手順、又は機能として体系化されてもよい。にもかかわらず、ある1つの識別されたモジュールの複数の実行ファイルは、物理的に一緒に位置している必要はなく、複数の異なる位置に格納されている複数の全く異なる命令を含んでもよく、それらの複数の命令が論理的に結び付けられる場合に、そのモジュールを含み、そのモジュールのための表記された目的を達成する。
【０１６３】
実際には、実行可能なコードのモジュールは、単一の命令であってもよく又は多くの命令であってもよく、そして、複数の異なるコードセグメントにわたって分散させられていてもよく、複数の異なるプログラムの間で分散させられていてもよく、複数のメモリデバイスにわたって分散させられていてもよい。本明細書においては、同様に、運用データ(operational  data)は、複数のモジュールの中で特定され、説明されてもよく、いずれかの適切な形態で具体化されてもよく、いずれかの適切なデータ構造の中で体系化されてもよい。運用データは、単一のデータセットとして集められてもよく、又は、複数の異なる記憶デバイスを含む複数の異なる位置にわたって分散させられていてもよく、少なくともその一部分が、単に、システム又はネットワークにおける電気信号として存在していてもよい。モジュールは、受動的であっても能動的であってもよく、複数のエージェント(agents)を含んでもよく、それらの複数のエージェントは、要求される機能を実行するように動作可能である。
【０１６４】
本明細書全体を通じての"1つの例"又は"例示"への言及は、その例と関連して説明されるある特定の特徴、構造、又は特性が、本発明にしたがった技術の少なくとも1つの実施形態に含まれるということを意味する。したがって、本明細書の全体を通じてさまざまな個所において"1つの例では"との記載又は"例示"の語が出現した場合であっても、必然的に、それらのすべてが、同じ実施形態に言及しているわけではない。
【０１６５】
本明細書において使用されているように、複数の品目、構造的な要素、構成要素、及び/又は材料は、利便性の観点から、1つの共通のリストの中に提示されていてもよい。一方で、そのリストの各々の要素が、個別のかつ一意の要素として個々に特定されるかのように、これらのリストを解釈するべきではない。したがって、そのようなリストのいずれの個々の要素も、反対のことが示されない限り、ある1つの共通のグループの中にそれらが存在することのみに基づいて、同じリストのいずれかの他の要素の事実上の等価な要素であると解釈されるべきではない。さらに、本発明にしたがった技術のさまざまな実施形態及び例は、それらの実施形態及び例のさまざまな構成要素についての代替的な例とともに、本明細書において参照されてもよい。そのような実施形態、例、及び代替的な例は、互いの事実上の等価な例であると解釈されるべきではないが、本発明にしたがった技術の個別のかつ自立した表現であると考えられるべきであるということを理解すべきである。
【０１６６】
さらに、1つ又は複数の実施形態において、いずれかの適切な方法で、説明された特徴、構造、又は特性を組み合わせてもよい。上記の記載では、本発明にしたがった技術の複数の実施形態の完全な理解を達成するために、レイアウト、距離、ネットワークの例等の例示等の数多くの特定の詳細が提示されている。一方で、関連する技術分野の当業者であれば、そのような特定の詳細の1つ又は複数を使用することなく、或いは、他の方法、他の構成要素、他のレイアウト等を使用して、本発明にしたがった技術を実現することが可能であるということを認識するであろう。他の例では、よく知られた構造、材料、又は動作は、本発明にしたがった技術の複数の態様を不明瞭にすることを避けるために、詳細には示されないか、又は、詳細には説明されない。
【０１６７】
上記の複数の例は、1つ又は複数の特定の適用にしたがった本発明の技術の原理の実例となるものであるが、本発明の技術分野の当業者にとっては、創造的な能力を発揮することなく、かつ、本発明の原理及び概念から離れることなく、実装の形態、利用、及び細部の数多くの修正を行うことが可能であるということが明らかになるであろう。したがって、以下の特許請求の範囲に記載される場合を除き、本発明にしたがった技術を限定することを意図してはいない。
【図１】
0006794376.tif 000002
【図２】
0006794376.tif 000003
【図３】
0006794376.tif 000004
【図４】
0006794376.tif 000005
【図５】
0006794376.tif 000006
【図６】
0006794376.tif 000007
【図７】
0006794376.tif 000008
【図８】
0006794376.tif 000009
【図９】
0006794376.tif 000010
【図１０】
0006794376.tif 000011
【図１１】
0006794376.tif 000012
【図１２】
0006794376.tif 000013
【図１３】
0006794376.tif 000014